(57)【特許請求の範囲】
【請求項１】
情報の再生が可能な情報再生装置であって、
複数のコンテンツを有するコンテンツ提供装置に、第１のコンテンツを識別するコンテンツ識別情報と、当該第１のコンテンツに関連する第２のコンテンツを受信する受信装置を識別する受信装置識別情報とを通知する情報通知手段と、
利用者による任意の書き換えが不可能な上記コンテンツ識別情報を取得するコンテンツ識別情報取得手段と、
利用者による任意の書き換えが不可能な上記受信装置識別情報をコンテンツ記録媒体から取得する受信装置識別情報取得手段と、
上記コンテンツ識別情報と上記受信装置識別情報とを基に特定される上記第２のコンテンツの、上記受信装置識別情報により識別される受信装置以外への不正コピーを防止する不正コピー防止手段と
を備え、
上記コンテンツ識別情報取得手段として、上記第１のコンテンツと上記コンテンツ識別情報とが、利用者による任意の書き換えが不可能な領域に記録され、利用者による持ち運びが可能な上記コンテンツ記録媒体を再生可能なコンテンツ記録媒体再生手段を備えることを特徴とする情報再生装置。
【請求項２】
情報の再生が可能な情報再生装置であって、
複数のコンテンツを有するコンテンツ提供装置に、第１のコンテンツを識別するコンテンツ識別情報と、当該第１のコンテンツに関連する第２のコンテンツを受信する受信装置を識別する受信装置識別情報とを通知する情報通知手段と、
利用者による任意の書き換えが不可能な上記コンテンツ識別情報を取得するコンテンツ識別情報取得手段と、
利用者による任意の書き換えが不可能な上記受信装置識別情報をコンテンツ記録媒体から取得する受信装置識別情報取得手段と、
上記コンテンツ識別情報と上記受信装置識別情報とを基に特定される上記第２のコンテンツの、上記受信装置識別情報により識別される受信装置以外への不正コピーを防止する不正コピー防止手段と
を備え、
上記コンテンツ識別情報取得手段として、上記第１のコンテンツと上記コンテンツ識別情報とが、利用者による任意の書き換えが不可能な設定領域に記録され、利用者による持ち運びが可能な上記コンテンツ記録媒体を再生可能なコンテンツ記録媒体再生手段を備えることを特徴とする情報再生装置。
【請求項３】
情報の再生が可能な情報再生装置を用いたコンテンツ提供方法であって、
複数のコンテンツを有するコンテンツ提供装置に、第１のコンテンツを識別するコンテンツ識別情報と、当該第１のコンテンツに関連する第２のコンテンツを受信する受信装置を識別する受信装置識別情報とを通知する情報通知工程と、
上記第１のコンテンツと上記コンテンツ識別情報とが、利用者による任意の書き換えが不可能な領域に記録され、利用者による持ち運びが可能なコンテンツ記録媒体から、利用者による任意の書き換えが不可能な上記コンテンツ識別情報を取得するコンテンツ識別情報取得工程と、
利用者による任意の書き換えが不可能な上記受信装置識別情報を取得する受信装置識別情報取得工程と、
上記コンテンツ識別情報と上記受信装置識別情報とを基に特定される上記第２のコンテンツの、上記受信装置識別情報により識別される受信装置以外への不正コピーを防止する不正コピー防止工程と
を含むことを特徴とするコンテンツ提供方法。
【請求項４】
情報の再生が可能な情報再生装置を用いたコンテンツ提供方法であって、
複数のコンテンツを有するコンテンツ提供装置に、第１のコンテンツを識別するコンテンツ識別情報と、当該第１のコンテンツに関連する第２のコンテンツを受信する受信装置を識別する受信装置識別情報とを通知する情報通知工程と、
上記第１のコンテンツと上記コンテンツ識別情報とが、利用者による任意の書き換えが不可能な設定領域に記録され、利用者による持ち運びが可能なコンテンツ記録媒体から、利用者による任意の書き換えが不可能な上記コンテンツ識別情報を取得するコンテンツ識別情報取得工程と、
利用者による任意の書き換えが不可能な上記受信装置識別情報を取得する受信装置識別情報取得工程と、
上記コンテンツ識別情報と上記受信装置識別情報とを基に特定される上記第２のコンテンツの、上記受信装置識別情報により識別される受信装置以外への不正コピーを防止する不正コピー防止工程と
を含むことを特徴とするコンテンツ提供方法。
【発明の詳細な説明】
【技術分野】
【０００１】
本発明は、情報再生装置、コンテンツ記録媒体、コンテンツ提供システム、コンテンツ提供方法および制御プログラムに関し、特に、インターネットなどの通信ネットワークを介してコンテンツを提供するコンテンツ提供技術に関するものである。
【背景技術】
【０００２】
ＤＶＤレコーダーやＨＤＤ（Hard Disk Drive）内蔵型ＤＶＤレコーダー、ＨＤＤレコーダー、ＢＤレコーダー、ＨＤＤ内蔵型ＢＤレコーダーといった情報再生装置は、テレビ番組などのコンテンツを記録し、その記録されたコンテンツを再生する。
【０００３】
このような情報再生装置は、記録されたコンテンツを携帯電話といった携帯機器にコピーすることができる。利用者は携帯機器を携帯すれば、自分の好きなとき、好きな場所で、情報再生装置から携帯機器にコピーされたコンテンツを視聴することができる。
【０００４】
近年、映画などのコンテンツが記録されているコンテンツＤＶＤ（Digital Versatile Disc）やコンテンツＢＤ（Blu-ray Disc；登録商標）からコンテンツを携帯機器にコピーし、携帯機器を用いてコンテンツＤＶＤなどのコンテンツを視聴可能にしたいというニーズが出ている。携帯機器の高機能化に伴い、映像を再生可能な携帯機器が提供されているからである。
【０００５】
このようなニーズを実現する上で最も重要な事柄は、コンテンツＤＶＤやコンテンツＢＤに記録されたコンテンツが、不正に無料で携帯機器にコピーされてしまうことを如何に防止するかということである。コンテンツＤＶＤやコンテンツＢＤからの不正コピーは、著作権の侵害や、コンテンツＤＶＤやコンテンツＢＤの売り上げ減少といった、非常に大きな問題を引き起こすからである。
【０００６】
音楽ＣＤ（Compact Disk）からの不正コピーを防止する手段として、例えば、特許文献１には、音楽ＣＤのディスクに付加される、ディスクごとに固有の識別番号をコンテンツの提供に利用して、音楽ＣＤからの不正コピーを防止するコンテンツ提供方法が提案されている。
【０００７】
このコンテンツ提供方法では、音楽ＣＤに音楽データを記録するときに、ディスクごとに固有の識別番号が音楽ＣＤに付加される。利用者は記録媒体を購入したら、ネットワークを経由して登録処理を行ない、識別番号をコンテンツの提供者の管理サーバに送る。
【０００８】
管理サーバは、この識別番号を使って、利用者ごとにどの楽曲を保有しているのかを示すリストを作成する。そして、各利用者が保有している楽曲については、利用者の携帯型のディジタルオーディオ機器での再生を許可したり、その機器へのダウンロードを無料あるいは低料金で行なったりする。
【０００９】
利用者は、音楽ＣＤを購入して登録処理を済ませると、その音楽ＣＤの音楽配信が受けられるようになり、携帯型のディジタルオーディオ機器を利用するのに音楽ＣＤからの音楽データをコピーする必要がなくなる。
【００１０】
このようにして利用者が音楽ＣＤから音楽を携帯機器にコピーする機会を減らし、そうすることにより、音楽ＣＤからの不正コピーを防止することができる。
【００１１】
上で述べた情報再生装置においても、特許文献１に記載されたコンテンツ提供方法を用いることにより、コンテンツＤＶＤやコンテンツＢＤに記録されたコンテンツを携帯機器にコピーできる者を、そのコンテンツＤＶＤなどを正規に購入した利用者のみに限定することができる。
【００１２】
すなわち、コンテンツＤＶＤやコンテンツＢＤの不正コピーを防止することができるので、携帯機器を用いてコンテンツＤＶＤなどのコンテンツを視聴可能にするというニーズを実現することができる。
【先行技術文献】
【特許文献】
【００１３】
【特許文献１】特開２００４−４２４５号公報（２００４年１月８日公開）
【発明の概要】
【発明が解決しようとする課題】
【００１４】
しかしながら、特許文献１に記載されたコンテンツ提供方法を用いた場合、次のような課題があった。
【００１５】
先ず、上記のコンテンツ提供方法では、携帯型ディジタルオーディオ機器を識別するための機器固有の識別番号を利用者自身が手入力しなければならない。このような手入力は利用者の大きな手間であり、また、利用者による識別番号の誤入力を招くおそれがある。このため、利用者の利便性に欠けるといった課題があった。
【００１６】
また、手入力によるので、故意または過失により、誤った識別番号が入力されてしまうと、その誤った識別番号を基に、コンテンツの提供が行なわれてしまうおそれがあるといった課題もあった。
【００１７】
さらに、上記の識別番号は例えば電話番号といったものが用いられ、利用者が通常知り得る情報であった。利用者が容易に手入力できるためには、利用者が通常知り得ない情報を用いることができないからである。そのような識別番号は、正当な利用者以外の第三者であっても容易に知ることができる。このため、上記の識別番号は、第三者による不正利用の対象となり得るといった課題もあった。
【００１８】
また、電話番号は、個人を特定しやすく、情報漏えいが生じた場合、個人情報の流出となり、大きな問題になる。これを防ぐために、高いセキュリティが要求され、システム管理に必要なコストが高くなる課題もあった。
【００１９】
さらに、上記のコンテンツ提供方法では、ネットワークを経由して登録処理を行なうためのパーソナルコンピュータと携帯型ディジタルオーディオ機器のいずれもが、ネットワークを介して、コンテンツの提供者の管理サーバに接続されている必要があり、それぞれの機器をネットワークに接続するための接続費や通信費が二重に必要となるといった課題もあった。
【００２０】
上記課題に鑑み、本発明の目的は、利用者の利便性を向上させるとともに、コンテンツＤＶＤ、コンテンツＢＤといった記録媒体からのコンテンツの不正コピーを防止することができる情報再生装置、コンテンツ記録媒体、コンテンツ提供システム、コンテンツ提供方法および制御プログラムを提供することである。
【課題を解決するための手段】
【００２１】
上記目的を達成するために、本発明に係る情報再生装置は、情報の再生が可能な情報再生装置であって、複数のコンテンツを有するコンテンツ提供装置に、第１のコンテンツを識別するコンテンツ識別情報と、当該第１のコンテンツに関連する第２のコンテンツを受信する受信装置を識別する受信装置識別情報とを通知する情報通知手段と、利用者による任意の書き換えが不可能な上記コンテンツ識別情報を取得するコンテンツ識別情報取得手段と、利用者による任意の書き換えが不可能な上記受信装置識別情報を取得する受信装置識別情報取得手段と、上記コンテンツ識別情報と上記受信装置識別情報とを基に特定される上記第２のコンテンツの、上記受信装置識別情報により識別される受信装置以外への不正コピーを防止する不正コピー防止手段とを備える。
【００２２】
上記情報再生装置において、上記第１のコンテンツと上記コンテンツ識別情報とを記録するコンテンツ記憶領域をさらに備え、上記コンテンツ識別情報取得手段は、上記コンテンツ識別情報を上記コンテンツ記憶領域から取得可能であることが好ましい。
【００２３】
上記情報再生装置において、上記コンテンツ識別情報取得手段として、上記第１のコンテンツと上記コンテンツ識別情報とが、利用者による任意の書き換えが不可能な領域に記録され、利用者による持ち運びが可能なコンテンツ記録媒体を再生可能なコンテンツ記録媒体再生手段を備えることが好ましい。
【００２４】
なお、上記情報再生装置は、コンピュータによって実現してもよく、この場合には、コンピュータを前記各手段として動作させることにより上記情報再生装置をコンピュータにて実現させる情報再生装置の制御プログラムも本発明の範疇に入る。
【発明の効果】
【００２５】
本発明の情報再生装置は、情報の再生が可能な情報再生装置であって、複数のコンテンツを有するコンテンツ提供装置に、第１のコンテンツを識別するコンテンツ識別情報と、当該第１のコンテンツに関連する第２のコンテンツを受信する受信装置を識別する受信装置識別情報とを通知する情報通知手段と、利用者による任意の書き換えが不可能な上記コンテンツ識別情報を取得するコンテンツ識別情報取得手段と、利用者による任意の書き換えが不可能な上記受信装置識別情報を取得する受信装置識別情報取得手段と、上記コンテンツ識別情報と上記受信装置識別情報とを基に特定される上記第２のコンテンツの、上記受信装置識別情報により識別される受信装置以外への不正コピーを防止する不正コピー防止手段とを備える。
【００２６】
それゆえ、利用者の利便性を向上させるとともに、コンテンツＤＶＤ、コンテンツＢＤといった記録媒体からのコンテンツの不正コピーを防止することができるという効果を奏する。
【図面の簡単な説明】
【００２７】
【図１】本発明の一実施形態に係るコンテンツ提供システムの構成を示すブロック図である。
【図２】上記コンテンツ提供システムの情報再生装置のハードウェア構成を示すブロック図である。
【図３】上記コンテンツ提供システムのコンテンツ提供装置のハードウェア構成を示すブロック図である。
【図４】上記コンテンツ提供システムの端末装置のハードウェア構成を示すブロック図である。
【図５】本発明の他の実施形態に係るコンテンツ提供システムの構成を示すブロック図である。
【図６】本発明の他の実施形態に係るコンテンツ提供システムの構成を示すブロック図である。
【図７】本発明の他の実施形態に係るコンテンツ提供システムの構成を示すブロック図である。
【図８】本発明の他の実施形態に係るコンテンツ提供システムの構成を示すブロック図である。
【図９】本発明の一実施形態に係るコンテンツ提供システムのコンテンツ提供装置の識別情報データベースの構成を示す説明図である。
【図１０】上記コンテンツ提供装置のコンテンツデータベースの構成を示す説明図である。
【図１１】本発明の一実施形態に係るコンテンツ提供システムの情報再生装置、コンテンツ提供装置および端末装置の各動作を説明するフローチャートである。
【図１２】本発明の他の実施形態に係るコンテンツ提供システムの構成を示すブロック図である。
【発明を実施するための形態】
【００２８】
以下図面を参照して、本発明の実施の形態を説明する。以下の図面の記載において、同一または類似の部分には同一または類似の符号を付している。
【００２９】
（実施の形態１）
本発明の一実施形態について図１〜図４、図９〜図１１に基づいて説明すれば、以下のとおりである。
【００３０】
（コンテンツ提供システム）
図１は、本発明の実施の形態１に係るコンテンツ提供システムの構成を示すブロック図である。
【００３１】
このコンテンツ提供システム１は、図１に示すように、情報再生装置１０と、通信ネットワーク６０と、コンテンツ提供装置３０と、１つまたは複数の端末装置（受信装置）４０と、記録媒体（コンテンツ記録媒体）５０と、を備えている。
【００３２】
（情報再生装置１０）
情報再生装置１０は、通信ネットワーク６０を介してコンテンツ提供装置３０に接続されている。情報再生装置１０は、第１の識別情報取得部（第１の識別情報取得手段、コンテンツ記録媒体再生手段、識別情報記録媒体再生手段）１１と、第２の識別情報取得部（第２の識別情報取得手段）１２と、コンテンツ送信要求部（情報出力手段、情報通知手段、ネットワーク通信手段）１３と、コンテンツ接続先情報取得部（コンテンツ接続先情報取得手段）１４と、情報交換部（情報交換手段）１５と、を有している。情報再生装置１０は、コンテンツを再生する。もちろん、情報再生装置１０は、コンテンツを再生することに加えて、コンテンツを記録するコンテンツ記録機能を持つ情報再生装置であっても構わない。
【００３３】
第１の識別情報取得部１１は、記録媒体５０に記録されている第１のコンテンツを識別するコンテンツ識別情報（第１の識別情報）５０１を記録媒体５０から取得する。そして、第１の識別情報取得部１１は、そのコンテンツ識別情報５０１をコンテンツ送信要求部１３に出力する。
【００３４】
第２の識別情報取得部１２は、情報交換部１５を用いて、端末装置４０を識別する端末装置識別情報（第２の識別情報、端末識別情報）４２１を端末装置４０から取得する。そして、第２の識別情報取得部１２は、その端末装置識別情報４２１をコンテンツ送信要求部１３に出力する。
【００３５】
コンテンツ送信要求部１３は、第１の識別情報取得部１１からコンテンツ識別情報５０１を受け取り、第２の識別情報取得部１２から端末装置識別情報４２１を受け取ると、通信ネットワーク６０を介して、それらコンテンツ識別情報５０１および端末装置識別情報４２１をコンテンツ提供装置３０に通知する。
【００３６】
ここで、記録媒体５０にはあらかじめコンテンツ（以下、「オリジナルコンテンツ」と記す）（第１のコンテンツ）が記録されている。そして、コンテンツ提供装置３０は、記録媒体５０のオリジナルコンテンツごとに、それと関連性の持つ１つまたは複数のコンテンツ（以下、「関連コンテンツ」と記す）（第２のコンテンツ）を保有している。
【００３７】
オリジナルコンテンツは、テレビ番組や映画などの映像情報、音楽、ゲーム、画像、ソフトウェア、プログラムといった分野における各種のコンテンツであり、記録媒体５０に記録され、販売などによって利用者に提供されるものである。
【００３８】
なお、オリジナルコンテンツとコンテンツ識別情報５０１は、ネットワーク等により提供され、情報再生装置１０に内蔵されているコンテンツ記憶部（コンテンツ記憶領域）に記録されていてもよい。この場合、第１の識別情報取得部１１は、コンテンツ記憶部より、コンテンツ識別情報５０１を取得する。
【００３９】
一方、関連コンテンツは、そのようなオリジナルコンテンツと関連性のあるものであればよく、テレビ番組や映画などの映像情報、音楽、ゲーム、画像、ソフトウェア、プログラム、広告、Ｗｅｂコンテンツといったものである。
【００４０】
例えば、記録媒体５０に記録されたオリジナルコンテンツが映画である場合、関連コンテンツとしては、例えば端末装置４０である携帯機器において再生可能となるようにその映画データが圧縮された圧縮コンテンツや、その映画の広告、音楽といったものであってもよい。
【００４１】
また、Ｗｅｂコンテンツとは、記録媒体５０の所有者のみが参加可能なミクシィのようなＳＮＳや所有者のみがフォロー可能なツイッターであってもよい。
【００４２】
また、後述するように、関連コンテンツは、そのオリジナルコンテンツを識別するコンテンツ識別情報５０１と、その関連コンテンツを受け取ることになる端末装置４０の端末装置識別情報４２１とに対応づけされており、それら２つの識別情報を基に特定される。
【００４３】
コンテンツ送信要求部１３は、コンテンツ識別情報５０１および端末装置識別情報４２１で特定される関連コンテンツを選択して送信することをコンテンツ提供装置３０に要求する。
【００４４】
また、コンテンツ送信要求部１３は、その接続先であるコンテンツ提供装置３０を特定するためのコンテンツ接続先情報をコンテンツ接続先情報取得部１４から受け取る。コンテンツ送信要求部１３は、このコンテンツ接続先情報を基に、接続先であるコンテンツ提供装置３０を特定する。
【００４５】
コンテンツ接続先情報取得部１４は、上で述べたコンテンツ接続先情報５０２を記録媒体５０から取得し、コンテンツ送信要求部１３に送る。このコンテンツ接続先情報５０２は、通信ネットワーク６０上における、コンテンツ提供装置３０に固有のアドレスである。このアドレスとしては例えば、通信ネットワーク６０がインターネットであれば、インターネットに接続されるコンピュータ（ノード）に割り当てられるＩＰアドレスやＤＮＳに登録されているＵＲＬを用いれば良い。コンテンツ提供装置３０は、このアドレスによって、通信ネットワーク６０上で一意に特定されることになる。
【００４６】
なお、このようなコンテンツ接続先情報５０２を記録媒体５０にあらかじめ記録しておくためには、記録媒体５０が利用者に提供される以前にその記録を行なう必要がある。このため、例えば、コンテンツ提供装置３０を運営、管理するコンテンツ提供事業者は、記録媒体５０にオリジナルコンテンツを記録する際、その記録媒体５０に上記のコンテンツ接続先情報も同時に記録すればよい。
【００４７】
また、コンテンツ提供事業者が、記録媒体５０へのオリジナルコンテンツの記録やコンテンツ接続先情報の記録を直接行なわず、例えば記録媒体５０の製造、販売を第三者に委託するのであれば、その委託先にオリジナルコンテンツとともにコンテンツ接続先情報を提供すればよい。
【００４８】
もちろん、コンテンツ接続先情報を記録媒体５０に記録する者とオリジナルコンテンツを記録する者とは必ずしも同一人である必要はなく、要は、記録媒体５０が利用者に提供される前にコンテンツ接続先情報が記録媒体５０に記録されていればよい。
【００４９】
情報交換部１５は、端末装置４０と相互に情報交換する。情報交換部１５は、端末装置４０と相互に情報交換可能であればよく、無線通信を用いるものであってもよいし、有線通信を用いるものであってもよい。例えば、情報交換部１５は、ブルートゥースや赤外線通信、ＵＳＢ、クレイドル、ＳＤカード、接触ＩＣカード、非接触ＩＣカードといった近距離の情報交換技術を用いるものであれば、どのようなものであっても構わない。
【００５０】
（通信ネットワーク６０）
通信ネットワーク６０は、双方向デジタル回線の環境を構築できるものであればよく、例えばインターネット、広帯域ＩＳＤＮ（Integrated Services Digital Network）の電話回線、都市型のＣＡＴＶネットワーク、一般公衆回線、無線回線、イーサネット（登録商標）等である。
【００５１】
（コンテンツ提供装置３０）
コンテンツ提供装置３０は、コンテンツ選択部（コンテンツ選択手段）３１と、コンテンツ送信部（コンテンツ送信手段）３２と、識別情報データベース（識別情報ＤＢ）３３と、コンテンツデータベース（コンテンツＤＢ）３４と、を有している。
【００５２】
コンテンツ選択部３１は、情報再生装置１０のコンテンツ送信要求部１３からコンテンツ識別情報５０１および端末装置識別情報４２１が通知されると、コンテンツ識別情報５０１と端末装置識別情報４２１を用いて識別情報データベース３３を検索する。識別情報データベース３３は、コンテンツ識別情報５０１と端末装置識別情報４２１とに対応付けられたコンテンツ検索番号を格納する。
【００５３】
コンテンツ選択部３１は、識別情報データベース３３を検索し、コンテンツ識別情報５０１と端末装置識別情報４２１とに対応付けられたコンテンツ検索番号を取得する。そして、コンテンツ選択部３１は、今度は、そのコンテンツ検索番号を用いてコンテンツデータベース３４を検索する。コンテンツデータベース３４は、記録媒体５０にあらかじめ記録されたオリジナルコンテンツに関連性を有する複数の関連コンテンツを格納する。
【００５４】
コンテンツ選択部３１は、コンテンツデータベース３４を検索し、コンテンツ検索番号に対応する関連コンテンツを選択する。コンテンツデータベース３４は、コンテンツ選択部３１によって選択した関連コンテンツをコンテンツ送信部３２に出力する。
【００５５】
コンテンツ送信部３２は、コンテンツ選択部３１によって選択した関連コンテンツをコンテンツデータベース３４から取得する。そして、コンテンツ送信部３２は、通信ネットワーク６０を介して、その関連コンテンツを情報再生装置１０に送信する。
【００５６】
なお、情報再生装置１０は、通信ネットワーク６０を介してコンテンツ提供装置３０から受け取った関連コンテンツを端末装置４０にそのまま出力する。もちろん、情報再生装置１０は、自身が上で述べた受信装置となる場合であれば、その関連コンテンツをそのまま受け取ることになる。
【００５７】
また、情報再生装置１０は、関連コンテンツを端末装置４０に出力する場合、上で述べた情報交換部１５を用いてもよいし、それ以外の通信回線を別途、端末装置４０との間に設け、その通信回線を利用して端末装置４０に出力しても構わない。
【００５８】
識別情報データベース３３は、端末装置識別情報４２１とコンテンツ識別情報５０１とに対応づけられたコンテンツ検索番号を格納する。
【００５９】
コンテンツデータベース３４は、コンテンツ提供装置３０が提供する複数の関連コンテンツを格納する。
【００６０】
（端末装置４０）
端末装置４０は、コンテンツ提供装置３０から関連コンテンツを受信し、その関連コンテンツを再生するものである。端末装置４０は、情報再生装置１０と一体であっても別体であってもよい。すなわち、コンテンツ提供装置３０から関連コンテンツを受信するのが情報再生装置１０であってもよいし、情報再生装置１０とは別体の端末装置４０であってもよい。なお、端末装置４０が関連コンテンツを再生する機能については、携帯電話、ＰＣ、ＰＤＡ、携帯型ゲーム機、携帯型再生機など、持ち運び可能な公知の携帯端末のコンテンツ再生機能を用いることができる。また、持ち運び可能でなくてもよく、情報再生装置１０とは別体のパソコンやＢＤプレーヤー、ＢＤレコーダーなどのコンテンツ再生機能を用いることもできる。
【００６１】
端末装置４０は、入出力部４１と、端末装置識別情報記憶領域４２と、を有している。
【００６２】
入出力部４１は、情報再生装置１０の情報交換部１５と相互に情報交換する。入出力部４１は、情報再生装置１０と相互に情報交換可能であればよく、無線通信を用いるものであってもよいし、有線通信を用いるものであってもよい。例えば、情報交換部１５は、ブルートゥースや赤外線通信、ＵＳＢ、クレイドル、ＳＤカード、接触ＩＣカード、非接触ＩＣカードといった近距離の情報交換技術を用いるものであれば、どのようなものであっても構わない。
【００６３】
情報再生装置１０の第２の識別情報取得部１２は、情報交換部１５を用い、入出力部４１に端末装置識別情報４２１を送信するよう、要求する。入出力部４１は、情報交換部１５から端末装置識別情報４２１の送信の要求があると、端末装置識別情報記憶領域４２から端末装置識別情報４２１を取得する。そして、入出力部４１は、その端末装置識別情報４２１を情報交換部１５に出力する。
【００６４】
端末装置識別情報記憶領域４２は、ハードウェアの仕様、もしくはソフトウェアの設定や暗号化により情報が書き換え不可能な記憶領域である。端末装置識別情報記憶領域４２に記録される情報は、第三者による改ざんは、ほとんど不可能であり、記録された端末装置識別情報４２１の信頼性が保証されている。
【００６５】
つまり、端末装置識別情報４２１は、利用者による任意の書き換えが不可能な情報といえる。
【００６６】
端末装置識別情報記憶領域４２は、接触ＩＣカードや非接触ＩＣカードなどに用いられる公知のＩＣチップを用いることができる。このようなＩＣチップは、耐タンパ性が高く、その内部の情報の不正な読出し、改ざんが困難であるという特徴が有り、端末装置識別情報４２１のセキュリティを高めることができる。端末装置識別情報４２１は、このような端末装置識別情報記憶領域４２に記録されており、このため、第三者による偽造、偽装、改ざんが困難な識別情報であるといえる。
【００６７】
端末装置識別情報４２１は、端末装置４０を識別するための、端末装置４０固有の識別情報である。端末装置識別情報４２１は、端末装置４０が携帯電話であれば、携帯電話の複製を防止するための、一般には開示されず、読み取り機器の所持が制限されている情報を用いることが好ましい。また、公知の携帯電話に記録されるＩＭＥIや、携帯電話に格納される公知のＳｉｍカードに記録されるＩＭＳＩ、携帯電話に搭載されている公知のＦｅｌｉｃａチップに記録されているＩＤｍを用いることができる。また、公知の情報に限らず、本発明を実施するための独自の識別情報を用いることもできる。上記の情報は、利用者にとっても第三者にとって通常知り得ない情報である。したがって、このような情報を端末装置識別情報４２１として用い、上で述べた端末装置識別情報記憶領域４２に記録しておけば、端末装置識別情報４２１のセキュリティが非常に高くなる。
【００６８】
ここで、情報再生装置１０の情報交換部１５と端末装置４０の入出力部４１との間の情報交換におけるセキュリティ対策について説明する。
【００６９】
端末装置４０の端末装置識別情報４２１の端末装置４０から情報再生装置１０への受け渡しにはセキュリティが要求される。端末装置識別情報４２１がコンテンツ提供装置３０からの関連コンテンツの提供を受けるサービスを受けるための識別や認証に用いられるからである。
【００７０】
上記の特許文献１に記載された従来のコンテンツ提供方法では、携帯型ディジタルオーディオ機器を識別するための機器固有の識別番号が利用者自身により手入力されていた。このため、その識別番号の偽造、偽装、改ざんが容易であり、第三者によるコンテンツ提供の不正利用を誘発するおそれがあった。
【００７１】
さらに、利用者による手入力を可能とするため、電話番号といった利用者が通常知り得る情報を識別番号として利用しなければならない。その結果、第三者にもその識別番号が容易に知られることになり、やはり、第三者の不正利用を誘発してしまう。
【００７２】
これに対し、本実施形態においては、ＩＭＥＩやＩＭＳＩ、ＩＤｍといった、通常知り得ない端末装置識別情報４２１が、情報が書き換え不可能な端末装置識別情報記憶領域４２に記録しておくことにより、上記の従来のコンテンツ提供方法のような、第三者によるコンテンツ提供の不正利用を防止することができる。
【００７３】
なお、入出力部４１から情報交換部１５への端末装置識別情報４２１の受け渡しは、暗号化処理されることが好ましい。この場合、その暗号化処理は、公開鍵暗号、共通鍵暗号のいずれでも可能である。公開鍵暗号のほうが端末装置４０で秘密鍵を管理する必要がなく、高いセキュリティを確保することができる。
【００７４】
（情報再生装置１０のハードウェア構成）
図２は、情報再生装置１０のハードウェア構成を示すブロックである。図２に示すように、情報再生装置１０は、各種プログラムの命令を処理するＣＰＵ１０１と、情報再生装置１０の制御プログラムなどが格納されているＲＯＭ１０２と、ＣＰＵ１０１が行なう演算の途中結果等を一時的に記憶する、高速に書き込み読み出しが可能なＲＡＭ１０３と、外部との通信を行なう通信Ｉ／Ｆ装置１０４と、利用者からの各種指示が入力される入力装置１０５と、ＨＤＤ１０６と、記録媒体５０からの情報を入力するドライブ装置１０７と、ディスプレイ装置１０８と、を有している。
【００７５】
ＣＰＵ１０１は、ＲＯＭ１０２に格納されているプログラム、または、ＨＤＤ１０６に格納されているプログラムか、ＲＡＭ１０３に格納されたプログラムに従って各種の処理を実施する。また、ＣＰＵ１０１は、ＲＡＭ１０３による各処理に必要なデータを一時記憶する。ＣＰＵ１０１は、情報再生装置１０全体の制御を行なう。
【００７６】
通信Ｉ／Ｆ装置１０４は、通信ネットワーク６０との入出力を処理する。
【００７７】
入力装置１０５は、例えば、テンキー、キーボードなどを備え、利用者からの各種の指示やデータなどが入力される。入力装置１０５は、利用者によって入力された各指示やデータをＲＡＭ１０３やＨＤＤ１０６に格納する。利用者は、この入力装置１０５を用いて、例えば、記録媒体５０の読み出しや書き込み、端末装置４０との情報交換といった、各種の指示を入力する。また、後述するように、利用者は、入力装置１０５を用いて、利用者ＩＤ、利用者パスワード、利用者の生年月日、性別、職種、住所、氏名などの情報（以下、「利用者情報」と記す）を入力することができる。利用者情報としては、他にも年齢、職種、収入、趣味、利用者が見たいコンテンツの種類、その利用者の端末装置４０のハードウェア特性（例えば、ハードディスク容量、メモリ容量、ディスプレイ画素数）なども用いることができる。
【００７８】
ＨＤＤ１０６は、磁気メモリなどで構成され、例えば、ＣＰＵ１０１による各種の処理に必要なプログラム群であるソフトウェアを格納する。なお、ＣＰＵ１０１による各種の処理のソフトウェアを構成するプログラムは、あらかじめコンピュータに専用のハードウェアで組み込んでもよいし、ＲＯＭ１０２やＨＤＤ１０６にあらかじめ組み込んで提供してもよい。また、オリジナルコンテンツとコンテンツ識別情報５０１とが、情報再生装置１０に内蔵されているコンテンツ記憶部（コンテンツ記憶領域）に記録されている場合、コンテンツ記憶部として、ＨＤＤ１０６を使用することができる。
【００７９】
また、記録媒体から上で述べたプログラムを取得するようにしてもよい。例えば、上記のプログラムが記録された記録媒体やメモリカードがドライブ装置１０７に適宜接続され、それらから読み出されたコンピュータプログラムが、必要に応じてＨＤＤ１０６にインストールされようにしてもよい。
【００８０】
ドライブ装置１０７は、記録媒体５０を適宜接続し、記録媒体５０にあらかじめ記録されている、上で述べたオリジナルコンテンツやコンテンツ識別情報５０１を取得する。
【００８１】
ディスプレイ装置１０８は、各種情報（データ）を出力するものであり、例えば、ＬＣＤ（液晶ディスプレイ）、ＰＤＰ（プラズマディスプレイパネル）、またはＣＲＴ（cathode-ray tube）ディスプレイなどの表示装置で構成される。
【００８２】
情報交換Ｉ／Ｆ装置１０９は、端末装置４０と接続するための通信Ｉ／Ｆである。情報交換Ｉ／Ｆ装置１０９は、ＣＰＵ１０１によって制御されており、上で述べたような、ブルートゥースや赤外線通信、ＵＳＢ、クレイドル、ＳＤカード、接触ＩＣカード、非接触ＩＣカードを用いた通信Ｉ／Ｆ、つまり、情報交換部１５を構成する。
【００８３】
（コンテンツ提供装置３０のハードウェア構成）
図３は、コンテンツ提供装置３０のハードウェア構成を示すブロックである。図３に示すように、コンテンツ提供装置３０は、各種プログラムの命令を処理するＣＰＵ３０１と、コンテンツ提供装置３０の制御プログラムなどが格納されているＲＯＭ３０２と、ＣＰＵ３０１が行なう演算の途中結果等を一時的に記憶する、高速に書き込み読み出しが可能なＲＡＭ３０３と、外部との通信を行なう通信Ｉ／Ｆ装置３０４と、利用者からの各種指示が入力される入力装置３０５と、ＨＤＤ３０６と、ディスプレイ装置３０８と、上記の識別情報データベース３３と、上記のコンテンツデータベース３４と、を有している。
【００８４】
ＣＰＵ３０１は、ＲＯＭ３０２に格納されているプログラム、または、ＨＤＤ３０６に格納されているプログラムか、ＲＡＭ３０３に格納されたプログラムに従って各種の処理を実施する。また、ＣＰＵ３０１は、ＲＡＭ３０３による各処理に必要なデータを一時記憶する。ＣＰＵ３０１は、コンテンツ提供装置３０全体の制御を行なう。
【００８５】
通信Ｉ／Ｆ装置３０４は、通信ネットワーク６０との入出力を処理する。
【００８６】
入力装置３０５は、例えば、テンキー、キーボードなどを備え、利用者からの各種の指示やデータなどが入力される。入力装置３０５は、利用者によって入力された各指示やデータをＲＡＭ３０３やＨＤＤ３０６に格納する。この入力装置１０５を用いて、例えば、識別情報データベース３３やコンテンツデータベース３４へのアクセスなどの利用者からの操作が入力される。
【００８７】
ＨＤＤ３０６は、磁気メモリなどで構成され、例えば、ＣＰＵ３０１による各種の処理に必要なプログラム群であるソフトウェアを格納する。なお、ＣＰＵ３０１による各種の処理のソフトウェアを構成するプログラムは、あらかじめコンピュータに専用のハードウェアで組み込んでもよいし、ＲＯＭ３０２やＨＤＤ３０６にあらかじめ組み込んで提供してもよい。
【００８８】
ディスプレイ装置３０８は、各種情報（データ）を出力するものであり、例えば、ＬＣＤ（液晶ディスプレイ）、ＰＤＰ（プラズマディスプレイパネル）、またはＣＲＴ（cathode-ray tube）ディスプレイなどの表示装置で構成される。
【００８９】
識別情報データベース３３およびコンテンツデータベース３４は、ＨＤＤなどの磁気ディスク装置や半導体メモリ等の公知の記憶装置から適宜選択して用いることができる。図１および図３では、識別情報データベース３３、コンテンツデータベース３４およびＨＤＤ３０６は、独立したディスク装置の図で示したが、同一のディスク装置に格納されていても良い。また、各フィールドのデータ相互の関連は多様なファイル構成で実現することができる。例えば、同一のファイル内の異なる領域に識別情報データベース３３、コンテンツデータベース３４およびＨＤＤ３０６をそれぞれ構成しても良い。
【００９０】
（端末装置４０のハードウェア構成）
図４は、端末装置４０のハードウェア構成を示すブロックである。図４に示すように、端末装置４０は、各種プログラムの命令を処理するＣＰＵ４０１と、端末装置４０の制御プログラムなどが格納されているＲＯＭ４０２と、ＣＰＵ４０１が行なう演算の途中結果等を一時的に記憶する、高速に書き込み読み出しが可能なＲＡＭ４０３と、外部との通信を行なう通信Ｉ／Ｆ装置４０４と、利用者からの各種指示が入力される入力装置４０５と、ＨＤＤ４０６と、ディスプレイ装置４０８と、外部との無線通信を行なう無線通信装置４０９と、端末装置識別情報記憶領域４２と、を有している。
【００９１】
ＣＰＵ４０１は、ＲＯＭ４０２に格納されているプログラム、または、ＨＤＤ４０６に格納されているプログラムか、ＲＡＭ４０３に格納されたプログラムに従って各種の処理を実施する。また、ＣＰＵ４０１は、ＲＡＭ４０３による各処理に必要なデータを一時記憶する。ＣＰＵ４０１は、端末装置４０全体の制御を行なう。
【００９２】
通信Ｉ／Ｆ装置４０４は、情報再生装置１０と接続するための通信Ｉ／Ｆである。通信Ｉ／Ｆ装置４０４は、ＣＰＵ４０１によって制御されており、上で述べたような、ブルートゥースや赤外線通信、ＵＳＢ、クレイドル、ＳＤカード、接触ＩＣカード、非接触ＩＣカードを用いた通信Ｉ／Ｆ、つまり、入出力部４１を構成する。
【００９３】
入力装置４０５は、例えば、テンキー、キーボードなどを備え、利用者からの各種の指示やデータなどが入力される。入力装置４０５は、利用者によって入力された各指示やデータをＲＡＭ４０３やＨＤＤ４０６に格納する。利用者は、この入力装置４０５を用いて、例えば、コンテンツ提供装置２０から提供された関連コンテンツの再生や、情報再生装置１０との情報の交換といった、各種の指示を入力する。
【００９４】
ＨＤＤ４０６は、磁気メモリなどで構成され、例えば、ＣＰＵ４０１による各種の処理に必要なプログラム群であるソフトウェアを格納する。なお、ＣＰＵ４０１による各種の処理のソフトウェアを構成するプログラムは、あらかじめコンピュータに専用のハードウェアで組み込んでもよいし、ＲＯＭ４０２やＨＤＤ４０６にあらかじめ組み込んで提供してもよい。
【００９５】
また、ＨＤＤ４０６は、コンテンツ提供装置２０から提供される関連コンテンツを格納する。
【００９６】
ディスプレイ装置１０８は、各種情報（データ）を出力するものであり、例えば、ＬＣＤ（液晶ディスプレイ）、ＰＤＰ（プラズマディスプレイパネル）、またはＣＲＴ（cathode-ray tube）ディスプレイなどの表示装置で構成される。ディスプレイ装置１０８は、ＨＤＤ４０６に格納された関連コンテンツを利用者からの指示に基づき、表示する。
【００９７】
無線通信装置４０９は、アンテナで受信された電波を検波する検波部（図示省略）と、検波されたアナログ信号を増幅する増幅部（図示省略）と、増幅されたアナログ信号をデジタル信号に変換するＡ／Ｄ変換器（図示省略）とを有する。これにより、無線通信装置４０９は、受信した電波からデジタル信号に変換した無線信号を検出する。無線通信装置４０９は、このような無線信号を用いて外部と情報のやり取りを行なうことができる。
【００９８】
（記録媒体５０の構成）
記録媒体５０は、例えば、磁気ディスク、光磁気ディスク、光ディスクなどのディスクや、半導体メモリなどのメモリカードなどである。本実施形態においては、記録媒体５０に映画などのコンテンツを記録する大容量の記録媒体を期待する。このため、記録媒体５０は、上で述べたような、ＤＶＤ（Digital Versatile Disc）やＢＤ（Blu-ray Disc；登録商標）であることが好ましい。
【００９９】
また、記録媒体５０は、記録媒体５０に記録されているオリジナルコンテンツを識別するコンテンツ識別情報５０１を記録するコンテンツ識別情報記憶領域５１を有している。このコンテンツ識別情報記憶領域５１は、情報が書き換え不可能な記憶領域である。コンテンツ識別情報記憶領域５１に記録される情報は、第三者による改ざんは、ほとんど不可能であり、記録されたコンテンツ識別情報５０１の信頼性が保証されている。
【０１００】
つまり、コンテンツ識別情報５０１は、利用者による任意の書き換えが不可能な情報といえる。
【０１０１】
記録媒体５０は、情報記録層を２層まで有する多層構造のＤＶＤやＢＤといった、公知の光情報記録媒体を用いることができる。このような光情報記録媒体は、様々なコンテンツがあらかじめ記録されている情報記録層で、且つ、再生のみ可能な再生専用の情報記録層（以下、「ＲＯＭ（Read Only Memory）層」と記す）を少なくとも有しており、記録容量の向上が図られた記録媒体である。また、後述するように、情報の書き換え可能な情報記録層（以下、「ＲＥ（REwritable）層」と記す）をさらに有していてもよい。
【０１０２】
上で述べたオリジナルコンテンツは、上記のＲＯＭ層に記録されている。
【０１０３】
コンテンツ識別情報記憶領域５１は、例えば、上記のＲＯＭ層に設けることができる。そうすれば、コンテンツ識別情報記憶領域５１が再生のみ可能な領域となり、コンテンツ識別情報５０１の第三者による改ざんがほとんど不可能となるからである。
【０１０４】
また、上で述べたような光情報記録媒体には、通常、バーコード状の管理情報領域が設けられている。この管理情報領域には、ＢＣＡ（Burst Cutting Area）と、ＰＩＣ（Permanent Information & Control data）と、が含まれている。特に、ＢＣＡは、記録媒体５０の製造後において、記録媒体５０の構造を示す識別情報や、暗号鍵や復号鍵が、バーコード状に記録されたものである。例えば、大強度のレーザ光等を集光照射して、記録媒体５０の上記の情報記録層自体を蒸発させて書き換え不可能なバーコードを形成する光透過タイプのＢＣＡや、上記の情報記録層自体もしくはそれらの周辺の基板に書き換え不可能な変質を生じさせ、該変質領域の反射光量の変化を読み取る反射率制御タイプのＢＣＡがある。
【０１０５】
コンテンツ識別情報記憶領域５１は、例えば、上記のＢＣＡに設けることができる。そうすれば、コンテンツ識別情報記憶領域５１が再生のみ可能な領域となり、コンテンツ識別情報５０１の第三者による改ざんがほとんど不可能となるからである。
【０１０６】
また、記録媒体５０には、上述したコンテンツ接続先情報５０２が記録されている。このコンテンツ接続先情報５０２は、コンテンツ識別情報５０１と一緒に、コンテンツ識別情報記憶領域５１に記録されていてもよいし、コンテンツ識別情報５０１とは別の領域に記録されていてもよい。コンテンツ接続先情報５０２は、第三者による偽造、偽証、改ざんの対象となるおそれが少ないからである。
【０１０７】
なお、オリジナルコンテンツとコンテンツ識別情報５０１とが、情報再生装置１０に内蔵されているコンテンツ記憶部に記録されている場合、情報再生装置１０の制御と処理について記述しているソフトウェアにおいて、使用者による任意の書き換えを不可能に設定すればよい。この場合、情報再生装置１０を使用するコンテンツ識別情報５０１の第三者による改ざんがほとんど不可能となる。
【０１０８】
また、コンテンツ記憶部に記録されるオリジナルコンテンツとコンテンツ識別情報５０１とを暗号化して記録してもよい。この場合、コンテンツ記憶部を取り出して別の情報再生装置に接続しても、オリジナルコンテンツとコンテンツ識別情報５０１を読み出すことができなくなり、コンテンツ識別情報５０１の第三者による改ざんがほとんど不可能となる。
【０１０９】
（識別情報データベース３３）
図９は、識別情報データベース３３の構成を示す説明図である。識別情報データベース３３は、記録媒体５０のコンテンツ識別情報５０１と、端末装置４０の端末装置識別情報４２１と、コンテンツ識別情報５０１および端末装置識別情報４２１に対応づけられたコンテンツ検索番号と、を有している。
【０１１０】
利用者は、コンテンツ提供装置３０から関連コンテンツを受け取るためには、利用者が購入したオリジナルコンテンツのコンテンツ識別情報５０１と、利用者が保有する端末装置４０の端末装置識別情報４２１とを、コンテンツ提供装置３０を運営、管理するコンテンツ提供事業者に提示する。
【０１１１】
コンテンツ提供事業者は、利用者から提示されたコンテンツ識別情報５０１を基に、オリジナルコンテンツの内容を認識することができる。
【０１１２】
コンテンツ提供事業者は、コンテンツ識別情報５０１が提示されたオリジナルコンテンツを認識すると、そのオリジナルコンテンツと関連性のある関連コンテンツをコンテンツデータベース３４から検索するためのコンテンツ検索番号を作成する。
【０１１３】
このコンテンツ検索番号は、オリジナルコンテンツと関連性のある関連コンテンツを特定するための番号である。１つのコンテンツ検索番号は、１つまたは複数の関連コンテンツを特定する。
【０１１４】
（コンテンツデータベース３４）
図１０は、コンテンツデータベース３４の構成を示す説明図である。コンテンツデータベース３４は、コンテンツ検索番号と、コンテンツ検索番号に対応する、映画、音楽、ゲーム、広告、画像およびＷｅｂコンテンツと、を有している。
【０１１５】
コンテンツ提供事業者は、オリジナルコンテンツの内容を基に、そのオリジナルコンテンツと関連性のあるコンテンツに対し、上記のコンテンツ検索番号を付与し、コンテンツデータベース３４に格納する。
【０１１６】
（情報再生装置１０、コンテンツ提供装置３０および端末装置４０の各動作）
図１１を用いて、情報再生装置１０、コンテンツ提供装置３０および端末装置４０の各動作について説明する。
【０１１７】
図１１において、先ず、利用者によって記録媒体５０が情報再生装置１０に装填される（ステップＳ１０１）。すると、情報再生装置１０は、ＣＰＵ１０１がＲＯＭ１０２またはＨＤＤ１０６に格納されているプログラム、あるいは、記録媒体５０に記録されているプログラムを読み取り、そのプログラムに従ってＣＰＵ１０１は、記録媒体５０に記録されているオリジナルコンテンツの再生やコンテンツ提供サービスの開始を指示する画面（以下、「初期画面」と記す）を作成し、ディスプレイ装置１０８に表示する（ステップＳ１０２）。
【０１１８】
次に、入力装置１０５によって利用者からコンテンツ提供サービスの開始を選択するという指示が入力されると、上記のプログラムに従ってＣＰＵ１０１は、情報再生装置１０と端末装置４０との間の情報交換の開始を要求する画面（以下、「情報交換要求画面」と記す）を作成し、ディスプレイ装置１０８に表示する（ステップＳ１０３）。
【０１１９】
次に、利用者によって、情報再生装置１０の情報交換部１５と端末装置４０の入出力部４１との間において情報交換が可能となるよう、情報再生装置１０および端末装置４０がそれぞれ設定される（ステップＳ１０４）。本ステップＳ１０４では、例えば、利用者が、情報再生装置１０の入力装置１０５および端末装置４０の入力装置４０５を用いて、それぞれの情報交換部１５および入出力部４１との間における情報交換が可能となるように、情報再生装置１０および端末装置４０をそれぞれ設定する。
【０１２０】
次に、情報再生装置１０の情報交換部１５と端末装置４０の入出力部４１との間における情報交換が可能になると、情報再生装置１０の第２の識別情報取得部１２は、情報交換部１５を用いて、端末装置４０の入出力部４１に対し、端末装置４０の端末装置識別情報４２１の送信を要求する（ステップＳ１０５）。端末装置４０の入出力部４１は、情報再生装置１０の情報交換部１５から端末装置識別情報４２１の送信の要求を受けると、端末装置識別情報記憶領域４２から端末装置識別情報４２１を読み出し、情報交換部１５に送信する（ステップＳ１０６）。第２の識別情報取得部１２は、情報交換部１５を用いて端末装置識別情報４２１を取得し、コンテンツ送信要求部１３に送る。
【０１２１】
一方、情報再生装置１０の第１の識別情報取得部１１は、記録媒体５０のコンテンツ識別情報記憶領域５１からコンテンツ識別情報５０１を読み出す（ステップＳ１０７）。また、情報再生装置１０のコンテンツ接続先情報取得部１４は、記録媒体５０からコンテンツ接続先情報を読み出す（ステップＳ１０８）。第１の識別情報取得部１１はコンテンツ識別情報５０１を、コンテンツ接続先情報取得部１４はコンテンツ接続先情報を、それぞれコンテンツ送信要求部１３に送る。
【０１２２】
次に、コンテンツ送信要求部１３は、コンテンツ接続先情報取得部１４から受け取ったコンテンツ接続先情報５０２を基に、通信ネットワーク６０上においてコンテンツ提供装置３０を特定する。そして、コンテンツ送信要求部１３は、コンテンツ提供装置３０が特定できると、第１の識別情報取得部１１から受け取ったコンテンツ識別情報５０１と、第２の識別情報取得部１２から受け取った端末装置識別情報４２１とを、通信ネットワーク６０を介して、コンテンツ提供装置３０に通知する（ステップＳ１０９）。本ステップＳ１０９では、コンテンツ送信要求部１３は、コンテンツ識別情報５０１および端末装置識別情報４２１をコンテンツ提供装置３０に通知し、コンテンツ識別情報５０１および端末装置識別情報４２１によって特定される関連コンテンツを送信するよう、コンテンツ提供装置３０に要求する。
【０１２３】
なお、コンテンツ識別情報５０１および端末装置識別情報４２１は、利用者には確認できず、コンテンツ提供装置３０に通知する以外には使用できないことが好ましい。こうすることで、これらの識別情報が第三者に流出し、不正に利用されることをさらに防止することができる。
【０１２４】
次に、コンテンツ提供装置３０のコンテンツ選択部３１は、情報再生装置１０のコンテンツ送信要求部１３からコンテンツ識別情報５０１および端末装置識別情報４２１を受け取ると、その受け取ったコンテンツ識別情報５０１および端末装置識別情報４２１を基に、識別情報データベース３３を検索する（ステップＳ１１０）。
【０１２５】
次に、コンテンツ選択部３１は、受け取ったコンテンツ識別情報５０１および端末装置識別情報４２１を基に、識別情報データベース３３を検索し、ヒットしたコンテンツ検索番号を取得する（ステップＳ１１１）。そして、コンテンツ選択部３１は、識別情報データベース３３から取得したコンテンツ検索番号を基に、今度は、コンテンツデータベース３４を検索する（ステップＳ１１２）。本ステップＳ１１２では、コンテンツ選択部３１は、ヒットした関連コンテンツをコンテンツデータベース３４からコンテンツ送信部３２に出力させる。
【０１２６】
次に、コンテンツ送信部３２は、コンテンツデータベース３４から受け取った関連コンテンツを、通信ネットワーク６０および情報再生装置１０を介して、端末装置４０に送信する（ステップＳ１１３）。本ステップＳ１１３では、情報再生装置１０は、通信ネットワーク６０を介して送信される関連コンテンツを一旦受信するとともに、情報交換部１５を用いてその関連コンテンツを端末装置４０の入出力部４１に送ることになる。
【０１２７】
なお、関連コンテンツは、情報再生装置１０より通知された端末装置識別情報４２１を持つ端末装置４０でのみ、再生可能としてもよい。この場合、公知のデジタル著作権管理技術を使用することができる。
【０１２８】
最後に、端末装置４０の入出力部４１は、情報交換部１５から受け取った関連コンテンツを例えばＨＤＤ４０６に格納する（ステップＳ１１４）。本ステップＳ１１４では、入力装置４０５を用いて利用者による関連コンテンツの再生が指示されると、ＣＰＵ４０１がＲＯＭ４０２またはＨＤＤ４０６に格納されているプログラムに従って、関連コンテンツを再生し、ディスプレイ装置４０８に表示させる。
【０１２９】
（実施の形態２）
次に、本発明の実施の形態２について説明する。
【０１３０】
上記の実施形態１は、第１のコンテンツを識別するコンテンツ識別情報５０１を使用する実施の形態であった。
【０１３１】
本発明の実施の形態２は、配布、販売される記録媒体５０に個別に記録され、記録媒体５０を識別する記録媒体識別情報（コンテンツ配布識別情報）を使用する実施の形態である。
【０１３２】
本実施の形態２のコンテンツ提供システムと上記の実施の形態１のコンテンツ提供システム１とで異なる点は、コンテンツ識別情報５０１に代えて、配布、販売される記録媒体５０に個別に記録され、記録媒体５０を識別する記録媒体識別情報（コンテンツ配布識別情報）を使用する点である。これにより、コンテンツ提供事業者は、コンテンツ提供装置３０の識別情報データベース３３に記録媒体識別情報と端末装置識別情報４２１とを対応づけて格納し、１つの記録媒体識別情報に対応づけられる端末装置識別情報４２１の限界数を設定することで、関連コンテンツの提供を受けられる端末装置４０の台数を制限することができる。もちろん、対応づけられる端末装置識別情報４２１の限界数を設定せず、関連コンテンツの提供を受けられる端末装置４０の台数を制限しないことも可能である。オリジナルコンテンツの関連広告など、より多くの端末装置４０へ提供することが好ましい場合もあるからである。
【０１３３】
情報再生装置１０の第１の識別情報取得部１１は、記録媒体５０を識別する記録媒体識別情報を記録媒体５０から取得する。そして、第１の識別情報取得部１１は、その記録媒体識別情報をコンテンツ送信要求部１３に出力する。
【０１３４】
この記録媒体識別情報は、配布、販売される記録媒体５０に個別に記録され、記録媒体５０を識別するものである。例えば、記録媒体５０が光情報記録媒体である場合、ＢＣＡに記録された識別情報を用いればよい。
【０１３５】
なお、オリジナルコンテンツが、ネットワーク等により配布、販売され、情報再生装置１０に内蔵されているコンテンツ記憶部に記録されている場合、オリジナルコンテンツが配布される度に個別に与えられるコンテンツ配布識別情報を、コンテンツ記憶部にオリジナルコンテンツとともに記録しておけばよい。
【０１３６】
コンテンツ送信要求部１３は、第１の識別情報取得部１１から記録媒体識別情報を受け取り、第２の識別情報取得部１２から端末装置識別情報４２１を受け取ると、通信ネットワーク６０を介して、それら記録媒体識別情報および端末装置識別情報４２１をコンテンツ提供装置３０に通知する。
【０１３７】
通知を受けるコンテンツ提供装置３０の識別情報データベース３３には、１つの記録媒体識別情報に対応づけられる端末装置識別情報４２１の限界数が設定されている。つまり、１つの記録媒体５０に対応づけられる端末装置４０の個数を制限する。例えば、その限界数が“４”であれば、１つの記録媒体識別情報に端末装置識別情報４２１を４つまで対応づけ、１つの記録媒体５０に４台の端末装置４０を対応づけることができる。
【０１３８】
通知された記録媒体識別情報に対応づけられる端末装置識別情報４２１の個数が限界数を超えていない場合、記録媒体識別情報および端末装置識別情報４２１の通知を受けたコンテンツ提供装置３０は、識別情報データベース３３に、通知された記録媒体識別情報と端末装置識別情報４２１を対応づけして新たに格納し、関連コンテンツを検索、特定し、情報再生装置１０を介して端末装置４０に送信する。また、通知された記録媒体識別情報と端末装置識別情報４２１がすでに対応づけられて格納されている場合も、関連コンテンツを検索、特定し、情報再生装置１０を介して端末装置４０に送信する。
【０１３９】
１つの記録媒体識別情報に対応づけられる端末装置識別情報４２１の限界数を超えている場合、コンテンツ選択部３１は、識別情報データベース３３の検索を中止し、その中止をコンテンツ送信部３２に報告する。また、識別情報データベース３３にコンテンツ送信要求部１３から通知された記録媒体識別情報が格納されていない場合、コンテンツ選択部３１は、識別情報データベース３３の検索を中止し、その中止をコンテンツ送信部３２に報告する。この場合、コンテンツ送信要求部１３から受け取った記録媒体識別情報が不正なものであると考えられるからである。検索の中止を報告されたコンテンツ送信部３２は、通信ネットワーク６０を介して、コンテンツ送信要求部１３に対し、関連コンテンツの送信を行なわないことを通知する。
【０１４０】
なお、コンテンツ提供事業者は、利用者から提示された記録媒体識別情報を基に、その記録媒体識別情報が記録された記録媒体５０に記録されているオリジナルコンテンツの内容を認識することができる。
【０１４１】
例えば、コンテンツ提供事業者が記録媒体５０の製造、販売の委託先にオリジナルコンテンツを渡す際、そのオリジナルコンテンツが記録される記録媒体５０の記録媒体識別情報を取得することができるからである。もちろん、コンテンツ提供事業者が自ら記録媒体５０の製造、販売を行なう場合であれば、記録媒体５０の記録媒体識別情報からオリジナルコンテンツの内容を認識することは容易なことである。
【０１４２】
そのため、コンテンツ提供事業者は、記録媒体識別情報が提示された記録媒体５０に記録されているオリジナルコンテンツを認識し、そのオリジナルコンテンツと関連性のある関連コンテンツをコンテンツデータベース３４から検索するためのコンテンツ検索番号を作成することができる。
【０１４３】
このようにして、コンテンツ提供事業者は、１つの記録媒体識別情報に対応づけられる端末装置識別情報４２１の個数を制限する。そうすることにより、記録媒体５０に記録されたコンテンツと関連性の持つ関連コンテンツを必要以上に提供されてしまうことを防止できるので、その結果、関連コンテンツの不正コピーを誘発する機会を減らすことができる。また、関連コンテンツの提供先が限定されているので、関連コンテンツの不正コピーを防止するための過度のセキュリティを施す必要もなくなり、利用者の利便性も向上する。利用者の識別、認証のための処理を減らすことができるからである。
【０１４４】
（実施の形態３）
次に、本発明の実施の形態３について説明する。
【０１４５】
上記の実施の形態１は、情報再生装置１０がコンテンツ提供装置３０に関連コンテンツの送信を要求し、その要求に基づきコンテンツ提供装置３０が情報再生装置１０を介して端末装置４０に関連コンテンツを送信する実施の形態であった。
【０１４６】
本発明の実施の形態３は、コンテンツ提供装置３０が情報再生装置１０ａから関連コンテンツの送信の要求を受けると、コンテンツ提供装置３０から情報再生装置１０ａを介することなく端末装置４０に直接、関連コンテンツを送信する実施の形態である。
【０１４７】
図５は、本発明の実施の形態３に係るコンテンツ提供システムの構成を示すブロック図である。以下、上記の実施の形態１と同様の部分については、同一符号を付し、その詳細な説明は省略する。
【０１４８】
図５に示すように、本実施の形態３のコンテンツ提供システム２と上記の実施の形態１のコンテンツ提供システム１とで異なる点は、情報再生装置１０ａにおいて、通信ネットワーク６０上における、端末装置４０に固有のアドレスである端末接続先情報（受信装置接続先情報）４２２を取得する端末接続先情報取得部（受信装置接続先情報取得手段）１６をさらに有した点である。これにより、コンテンツ提供装置３０が関連コンテンツを端末装置４０に直接的に送信することを可能にするものである。もちろん、利用者の指示に基づき、上記の実施の形態１と同様、情報再生装置１０を介して、端末装置４０に間接的に送信することも可能である。関連コンテンツのデータ容量やセキュリティ対策の観点から、情報再生装置１０を介して送信したほうが好ましい場合もあるからである。
【０１４９】
情報再生装置１０ａの端末接続先情報取得部１６は、情報交換部１５を用いて、端末装置４０の端末接続先情報４２２を端末装置４０ａから取得し、コンテンツ送信要求部１３に送る。
【０１５０】
コンテンツ送信要求部１３は、通信ネットワーク６０を介して、コンテンツ識別情報５０１および端末装置識別情報４２１をコンテンツ提供装置３０に通知する際、それらと一緒に端末接続先情報４２２を通知する。
【０１５１】
この端末接続先情報４２２は、通信ネットワーク６０上における、端末装置４０に固有のアドレスである。このアドレスとしては例えば、通信ネットワーク６０がインターネットであれば、インターネットに接続されるコンピュータ（ノード）に割り当てられるＩＰアドレスを用いれば良い。また、端末装置４０が携帯電話の場合、携帯電話のＥ−ｍａｉｌアドレスを用いれば良い。端末装置４０は、このアドレスによって、通信ネットワーク６０上で一意に特定されることになる。
【０１５２】
なお、端末装置４０ａは、実際には、通信ネットワーク６０と接続するデータ通信ネットワーク６１に接続された無線基地局６２との間で無線通信する。端末装置４０ａは、図４に示した無線通信装置４０９を用いて、無線基地局６２との無線通信を行なうものである。このため、上で述べた端末接続先情報４２２は、通信ネットワーク６０から見た、データ通信ネットワーク６１上における、端末装置４０に固有のアドレスとなる。例えば、
このデータ通信ネットワーク６１は、通信事業者によって運営、管理されており、その通信事業者は、例えば、プロバイダ（図示省略）を介して、データ通信ネットワーク６１を通信ネットワーク６０に接続する。プロバイダにはたとえば、通信ネットワーク６０上の中継措置であるルーターや、異種のネットワークを結合するためのゲートウェイなどが備えられている。もちろん、データ通信ネットワーク６１と通信ネットワーク６０とが直接接続される場合であっても、もちろん構わない。
【０１５３】
端末装置４０ａは、図４に示した無線通信装置４０９を用いて、データ通信ネットワーク６１の無線基地局６２と無線通信する。すなわち、端末装置４０ａは、無線通信機能を有している。
【０１５４】
なお、端末装置４０ａの通信機能は、必ずしも無線でなくてもよく、有線通信機能であっても構わない。
【０１５５】
端末装置４０ａの端末装置識別情報記憶領域４２は、上で述べた端末接続先情報４２２を格納する。端末装置４０ａの入出力部４１は、情報再生装置１０ａの情報交換部１５から端末接続先情報４２２の送信の要求があると、端末装置識別情報記憶領域４２から端末接続先情報４２２を取得する。そして、入出力部４１は、その端末接続先情報４２２を情報交換部１５に出力する。
【０１５６】
なお、この端末接続先情報４２２は、端末装置識別情報記憶領域４２とは別の領域に記録されていてもよい。端末接続先情報４２２は、第三者による偽造、偽証、改ざんの対象となるおそれが少ないからである。この場合、例えば、図４に示したＨＤＤ４０６やＲＯＭ４０２に記録しておけばよい。
【０１５７】
コンテンツ提供装置３０のコンテンツ送信部３２は、情報再生装置１０ａのコンテンツ送信要求部１３から端末接続先情報４２２を受け取り、その端末接続先情報４２２を基に端末装置４０を関連コンテンツの送信先として特定する。そして、コンテンツ送信部３２は、コンテンツ選択部３１によって選択された関連コンテンツを、通信ネットワーク６０、データ通信ネットワーク６１、無線基地局６２を介して、端末装置４０ａに送信する。
【０１５８】
なお、コンテンツ提供装置３０は、上で述べた関連コンテンツに代えて、コンテンツ提供装置３０への案内情報（ＵＲＬが記載されたＥ−ｍａｉｌなど）を送信してもよい。この場合、端末装置４０は、その案内情報を基に、無線基地局６２、データ通信ネットワーク６１、通信ネットワーク６０を介してコンテンツ提供装置３０に直接的に接続することができる。そうすることで、コンテンツ提供装置３０は、情報再生装置１０ａから既に通知されている端末装置識別情報４２１と、端末装置４０から通知される端末装置識別情報４２１とを照合し、一致した場合のみ、関連コンテンツの提供を許可するといったコンテンツ提供サービスも可能になる。
【０１５９】
（実施の形態４）
次に、本発明の実施の形態４について説明する。
【０１６０】
上記の実施の形態１は、情報再生装置１０が、記録媒体５０を再生する機能を持ち、記録媒体５０からコンテンツ識別情報５０１を取得する実施の形態であった。
【０１６１】
本発明の実施の形態４は、情報再生装置が、記録媒体５０を読み出し可能な別体の情報再生装置（第１コンテンツ再生装置）８０からコンテンツ識別情報５０１を取得する実施の形態である。
【０１６２】
図１２は、本発明の実施の形態４に係るコンテンツ提供システムの構成を示すブロック図である。以下、上記の実施の形態１〜３と同様の部分については、同一符号を付し、その詳細な説明は省略する。
【０１６３】
図１２に示すように、本実施の形態４のコンテンツ提供システム６と上記の実施の形態１のコンテンツ提供システム１とで異なる点は、情報再生装置１０の第１の識別情報取得部１１とコンテンツ接続先情報取得部１４が、情報交換部１５を介して、別体の情報再生装置８０よりコンテンツ識別情報５０１とコンテンツ接続先情報５０２を取得する点である。これにより、情報再生装置１０が記録媒体５０を再生する機能を持つ必要がなくなり、情報再生装置１０として持ち運び可能な携帯端末を使用することができる。
【０１６４】
別体の情報再生装置８０は、記録媒体５０よりコンテンツ識別情報５０１とコンテンツ接続先情報５０２を読出し、入出力部８１を介して、コンテンツ識別情報５０１とコンテンツ接続先情報５０２を情報再生装置１０の情報交換部１５に出力する。
【０１６５】
別体の情報再生装置８０の入出力部８１は、情報再生装置１０と相互に情報交換可能であればよく、無線通信を用いるものであってもよいし、有線通信を用いるものであってもよい。例えば、入出力部は、ブルートゥースや赤外線通信、ＵＳＢ、クレイドル、ＳＤカード、接触ＩＣカード、非接触ＩＣカードといった近距離の情報交換技術を用いるものであれば、どのようなものであっても構わない。
【０１６６】
情報再生装置１０の第１の識別情報取得部１１とコンテンツ接続先情報取得部１４は、情報交換部１５を介して、コンテンツ識別情報５０１とコンテンツ接続先情報５０２を取得し、コンテンツ送信要求部１３に出力する。
【０１６７】
情報再生装置１０の第２の識別情報取得部１２は、端末装置識別情報記憶領域４２より、端末装置識別情報４２１を取得し、コンテンツ送信要求部１３に出力する。
【０１６８】
なお、図１２では、端末装置が情報再生装置１０と一体の場合について示しているが、上記の実施の形態１に記載しているように、端末装置と情報再生装置１０が別体であってもよい。
【０１６９】
コンテンツ送信要求部１３は、第１の識別情報取得部１１からコンテンツ識別情報５０１を受け取り、第２の識別情報取得部１２から端末装置識別情報４２１を受け取ると、コンテンツ接続先情報５０２を基に、接続先であるコンテンツ提供装置３０を特定し、通信ネットワーク６０を介して、それらコンテンツ識別情報５０１および端末装置識別情報４２１をコンテンツ提供装置３０に通知する。
【０１７０】
情報再生装置１０は、通信ネットワーク６０と接続するデータ通信ネットワーク６１に接続された無線基地局６２との間で無線通信する図１２に示した無線通信装置４０９を有していてもよい。この場合、情報再生装置１０の利用者は、情報再生装置１０を持ち運び、いつでもどこでもコンテンツ識別情報５０１および端末装置識別情報４２１の通知と関連コンテンツの取得を行なうことができる。
【０１７１】
（実施の形態５）
次に、本発明の実施の形態５について説明する。本発明の実施の形態５は、情報再生装置１０ｂを用いて、上で述べた、利用者が自身に関する利用者情報を設定し、情報再生装置１０ｂがその利用者情報をコンテンツ提供装置３０に送信する実施の形態である。
【０１７２】
図６は、本発明の実施の形態５に係るコンテンツ提供システムの構成を示すブロック図である。以下、上記の実施の形態１および２と同様の部分については、同一符号を付し、その詳細な説明は省略する。
【０１７３】
図６に示すように、本実施の形態５のコンテンツ提供システム３と上記の実施の形態１のコンテンツ提供システム１とで異なる点は、情報再生装置１０ｂにおいて、利用者によって入力される利用者情報を設定する利用者情報設定部１７をさらに有した点である。
【０１７４】
上述したように、利用者は、図２に示した入力装置１０５を用いて、利用者ＩＤ、利用者パスワード、利用者の生年月日、性別、職種、住所、氏名などの利用者情報を入力する。
【０１７５】
利用者情報設定部１７は、入力された利用者情報をコンテンツ送信要求部１３に送る。コンテンツ送信要求部１３は、通信ネットワーク６０を介して、コンテンツ識別情報５０１および端末装置識別情報４２１をコンテンツ提供装置３０に通知する際、それらと一緒に上記の利用者情報も通知する。
【０１７６】
コンテンツ提供装置３０のコンテンツ選択部３１は、情報再生装置１０ａのコンテンツ送信要求部１３から利用者情報を受け取り、コンテンツ識別情報５０１および端末装置識別情報４２１を基に、識別情報データベース３３を検索する際、その利用者情報を用いて関連コンテンツを検索し、利用者に適した関連コンテンツを選択する。
【０１７７】
コンテンツ選択部３１は、例えば、記録媒体５０に記録されているオリジナルコンテンツと類似しており、利用者の趣向に合致している関連コンテンツや、その広告といった、利用者に適した関連コンテンツを選択することができる。
【０１７８】
（実施の形態６）
次に、本発明の実施の形態６について説明する。
【０１７９】
上記の実施の形態１は、情報再生装置１０が端末装置識別情報４２１およびコンテンツ識別情報５０１をコンテンツ提供装置３０に通知する際、端末装置識別情報４２１およびコンテンツ識別情報５０１を暗号化処理することなく、そのまま通信ネットワーク６０を介して、コンテンツ提供装置３０に送信する実施の形態であった。
【０１８０】
本発明の実施の形態６は、情報再生装置１０ｃが端末装置識別情報４２１およびコンテンツ識別情報５０１をコンテンツ提供装置３０ａに通知する際、端末装置識別情報４２１およびコンテンツ識別情報５０１を暗号化処理し、その暗号化処理された端末装置識別情報４２１およびコンテンツ識別情報５０１を、記録媒体５０と通信ネットワーク６０を介して、コンテンツ提供装置３０に送信する実施の形態である。
【０１８１】
図７は、本発明の実施の形態６に係るコンテンツ提供システムの構成を示すブロック図である。以下、上記の実施の形態１〜３と同様の部分については、同一符号を付し、その詳細な説明は省略する。
【０１８２】
図７に示すように、本実施の形態６のコンテンツ提供システム４と上記の実施の形態１のコンテンツ提供システム１とで異なる点は、情報再生装置１０ｃにおいては、記録媒体５０ａ（識別情報記録媒体）から暗号化鍵５０３および暗号化アルゴリズム５０４を取得する暗号化取得部（暗号化取得手段）１８と、暗号化鍵５０３および暗号化アルゴリズム５０４を用いて端末装置識別情報４２１およびコンテンツ識別情報５０１を暗号化処理する暗号化処理部１９と、暗号化処理された端末装置識別情報４２１およびコンテンツ識別情報５０１を記録媒体５０ａに記録する記録部２１（識別情報記録媒体記録手段）と、記録媒体５０ａから暗号化処理された端末装置識別情報４２１およびコンテンツ識別情報５０１を取得する暗号化識別情報取得部２２とをさらに有した点である。
【０１８３】
また、コンテンツ提供装置３０ａにおいては、暗号化処理された端末装置識別情報４２１およびコンテンツ識別情報５０１を復号化処理する復号化処理部（復号化処理手段）３５をさらに有した点である。
【０１８４】
なお、記録媒体５０ａは、ＲＯＭ層に加えて、上述した、情報の書き換え可能なＲＥ層をさらに有している。また、記録媒体５０ａのＲＯＭ層に暗号化鍵５０３および暗号化アルゴリズム５０４が記録されている。
【０１８５】
情報再生装置１０ｃの暗号化取得部１８は、暗号化鍵５０３および暗号化アルゴリズム５０４を記録媒体５０ａから取得する。そして、暗号化取得部１８は、その暗号化鍵５０３および暗号化アルゴリズム５０４を暗号化処理部１９に出力する。
【０１８６】
本実施形態では、第１の識別情報取得部１１は、オリジナルコンテンツを識別するコンテンツ識別情報５０１を記録媒体５０ａから取得し、そのコンテンツ識別情報５０１を暗号化処理部１９に出力する。第２の識別情報取得部１２は、情報交換部１５を用いて、端末装置４０を識別する端末装置識別情報４２１を端末装置４０から取得し、その端末装置識別情報４２１を暗号化処理部１９に出力する。コンテンツ接続先情報取得部１４は、コンテンツ接続先情報５０２を記録媒体５０ａから取得し、そのコンテンツ接続先情報５０２を暗号化処理部１９に出力する。
【０１８７】
暗号化処理部１９は、暗号化鍵５０３および暗号化アルゴリズム５０４を用いて、端末装置識別情報４２１およびコンテンツ識別情報５０１を暗号化し、暗号化された端末装置識別情報４２１およびコンテンツ識別情報５０１を生成する。この際、暗号化処理部１９は、コンテンツ接続先情報取得部１４から取得したコンテンツ接続先情報５０２は暗号化することなく、そのまま記録部２１に送る。
【０１８８】
暗号化処理部１９は、暗号化された端末装置識別情報４２１およびコンテンツ識別情報５０１と、コンテンツ接続先情報５０２とを記録部２１に送る。記録部２１は、暗号化処理部１９から受け取った、暗号化された端末装置識別情報４２１およびコンテンツ識別情報５０１と、コンテンツ接続先情報５０２とを記録媒体５０ａの上記のＲＥ層に記録する。
【０１８９】
暗号化識別情報取得部２２は、暗号化された端末装置識別情報４２１およびコンテンツ識別情報５０１と、コンテンツ接続先情報５０２とを、記録媒体５０ａの上記のＲＥ層から取得し、コンテンツ送信要求部１３ａに送る。
【０１９０】
コンテンツ送信要求部１３ａは、暗号化識別情報取得部２２から受け取ったコンテンツ接続先情報５０２を基に、コンテンツ提供装置３０を特定し、暗号化された端末装置識別情報４２１およびコンテンツ識別情報５０１を、コンテンツ提供装置３０に通知する。
【０１９１】
ここで、コンテンツ送信要求部１３ａを用いて、暗号化された端末装置識別情報４２１およびコンテンツ識別情報５０１がコンテンツ提供装置３０に通知された後、暗号化処理部１９によって端末装置識別情報４２１およびコンテンツ識別情報５０１を暗号化する際に一時的にＲＡＭ１０３に記録された端末装置識別情報４２１およびコンテンツ識別情報５０１が破棄される。そうすることで、情報再生装置１０ｃに端末装置識別情報４２１およびコンテンツ識別情報５０１が残存することがなくなり、情報再生装置１０ｃが盗難などの被害にあっても第三者に情報再生装置１０ｃから端末装置識別情報４２１およびコンテンツ識別情報５０１が不正に読み取られることもない。
【０１９２】
なお、コンテンツ識別情報５０１と、コンテンツ接続先情報５０２とを記録媒体５０ａの上記のＲＥ層に記録する場合に限らず、暗号化処理部１９によって暗号化された端末装置識別情報４２１およびコンテンツ識別情報５０１と、コンテンツ接続先情報５０２とを直接コンテンツ送信要求部１３ａに送ってもよい。
【０１９３】
また、記録部２１は、記録媒体５０ａの上記のＲＥ層に限らず、記録媒体５０ａとは別体の書き換え可能な媒体に、暗号化処理部１９から受け取った暗号化された端末装置識別情報４２１およびコンテンツ識別情報５０１と、コンテンツ接続先情報５０２とを記録してもよい。この場合、暗号化識別情報取得部２２は、暗号化された端末装置識別情報４２１およびコンテンツ識別情報５０１と、コンテンツ接続先情報５０２とを、上記の書き換え可能な媒体から取得し、コンテンツ送信要求部１３ａに送る。
【０１９４】
コンテンツ提供装置３０ａの復号化処理部３５は、暗号化された端末装置識別情報４２１およびコンテンツ識別情報５０１を受け取ると、例えば図３に示したＲＯＭ３０２やＨＤＤ３０６に記録されている復号化鍵および復号化アルゴリズムを用いて、暗号化された端末装置識別情報４２１およびコンテンツ識別情報５０１を復号化する。そして、復号化処理部３５は、復号化された端末装置識別情報４２１およびコンテンツ識別情報５０１をコンテンツ選択部３１に送る。
【０１９５】
（実施の形態７）
次に、本発明の実施の形態７について説明する。本発明の実施の形態７は、端末装置４０ａから端末装置識別情報４２１を取得し、記録媒体５０ａからコンテンツ識別情報５０１を取得する情報再生装置１０ｄと、端末装置識別情報４２１およびコンテンツ識別情報５０１をコンテンツ提供装置３０ａに通知する情報再生装置（情報通知手段）７０とが異なる実施の形態である。
【０１９６】
図８は、本発明の実施の形態７に係るコンテンツ提供システムの構成を示すブロック図である。以下、上記の実施の形態１〜４と同様の部分については、同一符号を付し、その詳細な説明は省略する。
【０１９７】
例えば、利用者が所有している情報再生装置１０ｄが通信ネットワーク６０に接続されている必要がなく、ネットワーク環境を持たないとき、通信ネットワーク６０に接続された情報再生装置７０を利用することで、端末装置４０ａへのコンテンツ提供を受けることができる。
【０１９８】
本実施の形態７では、情報再生装置７０が記録媒体５０ａから取得する端末装置識別情報４２１およびコンテンツ識別情報５０１は暗号化されており、それらは復号化鍵を持つコンテンツ提供装置３０でしか復号化できない。このため、ネットカフェなどに設置されているパソコンなど、情報漏えいの危険性が高い情報再生装置を利用したとしても、端末装置識別情報４２１およびコンテンツ識別情報５０１が読み取られる心配はない。
【０１９９】
図８に示すように、情報再生装置１０ｄは、端末装置４０ａから端末装置識別情報４２１を取得し、記録媒体５０ａからコンテンツ識別情報５０１を取得し、端末装置識別情報４２１およびコンテンツ識別情報５０１を暗号化する。そして、情報再生装置１０ｄは、暗号化された端末装置識別情報４２１およびコンテンツ識別情報５０１を記録媒体５０ａのＲＥ層に記録する。
【０２００】
一方、情報再生装置７０は、暗号化された端末装置識別情報４２１およびコンテンツ識別情報５０１を記録媒体５０ａから取得し、コンテンツ提供装置３０ａに通知する。
【０２０１】
なお、暗号化された端末装置識別情報４２１およびコンテンツ識別情報５０１は、５０ａとは別体の書き換え可能な媒体に記録してもよい。この場合、情報再生装置７０は、暗号化された端末装置識別情報４２１およびコンテンツ識別情報５０１を記録媒体５０ａとは別体の書き換え可能な媒体から取得する。
【０２０２】
また、図８には、コンテンツ提供装置３０ａが端末装置４０ａへ関連コンテンツを直接提供する形態を示しているが、情報再生装置７０がコンテンツ提供装置３０ａより関連コンテンツを受け取り、記録媒体５０ａに記録し、情報再生装置１０ｄを介して、端末装置４０に関連コンテンツを移動させることもできる。
【０２０３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２０４】
最後に、情報再生装置１０の各ブロックは、ハードウェアロジックによって構成してもよいし、次のようにＣＰＵを用いてソフトウェアによって実現してもよい。
【０２０５】
すなわち、情報再生装置１０は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである情報再生装置１０の制御プログラムのプログラムコード（実行形式プログラム、中間コードプログラム、ソースプログラム）をコンピュータで読み取り可能に記録した記録媒体を、情報再生装置１０に供給し、そのコンピュータ（又はＣＰＵやＭＰＵ）が記録媒体に記録されているプログラムコードを読み出し実行することによっても、達成可能である。
【０２０６】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２０７】
また、情報再生装置１０を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０２０８】
なお、本発明は、以下のようにも表現することができる。すなわち、本発明に係る情報記録媒体記録／再生装置は、情報記録媒体に記録された媒体識別情報を再生する情報記録媒体記録／再生装置であって、外部機器と相互に情報交換可能な情報交換手段を備え、上記情報交換時に、上記外部機器が固有に持つ機器識別情報を取得する手段を有する。
【０２０９】
ネットワークに接続する手段を有する上記の情報記録媒体記録／再生装置であって、上記媒体識別情報と上記機器識別情報を、上記情報記録媒体に記録されている送信先情報に基づいて、送信先に送信する手段を有することが好ましい。
【０２１０】
情報の記録が可能な記録可能領域と情報の読み出しのみ可能な再生専用領域を併せ持つ上記情報記録媒体の、記録可能領域の所定の領域に上記機器識別情報を記録する手段を有することが好ましい。
【０２１１】
本発明に係る記録媒体は、上記の情報記録媒体記録／再生装置によって、情報の記録／再生が可能であり、且つ、情報の記録が可能な記録可能領域と情報の読み出しのみ可能な再生専用領域を併せ持つ情報記録媒体であって、上記再生専用領域には、コンテンツとコンテンツに関連する情報を通信により入手するための通信情報が記録されており、上記記録可能領域には上記機器識別情報を記録する機器識別情報記録領域が設けられている。
【０２１２】
ネットワークに接続する手段を有する上記の情報記録媒体に対して、情報の記録／再生が可能な上記の情報記録媒体記録／再生装置であって、上記再生専用領域に記録されている通信情報に基づいて上記機器識別情報記録領域に記録されている情報のみを送信することが好ましい。
【０２１３】
再生専用領域に情報の暗号化が可能な手段が記録されている上記の情報記録媒体に対して、情報の記録／再生が可能な上記の情報記録媒体記録／再生装置であって、上記機器識別情報を上記機器識別情報記録領域に記録する際に、上記再生専用領域に記録されている暗号化方法に基づいて、上記機器識別情報を暗号化することが好ましい。
【０２１４】
さらに、本発明は、以下のようにも表現され得る。
【０２１５】
本発明に係る情報再生装置は、複数のコンテンツを有するコンテンツ提供装置に情報を通知可能な情報通知手段に対して、第１のコンテンツを識別する第１の識別情報と、当該第１のコンテンツに関連する第２のコンテンツを受信する受信装置を識別する第２の識別情報とを出力する情報出力手段と、利用者による任意の書き換えが不可能な上記第１の識別情報を取得する第１の識別情報取得手段と、利用者による任意の書き換えが不可能な上記第２の識別情報を取得する第２の識別情報取得手段とを備える。
【０２１６】
上記の情報再生装置が取得する第１の識別情報と第２の識別情報は、利用者による任意の書き換えが不可能である。
【０２１７】
ここで、利用者による任意の書き換えが不可能な情報とは、一般の利用者が、購入する範囲の装置や、悪意を持たずとも取得できる情報を用いた手段を利用する場合に書き換えが出来ない情報を指す。
【０２１８】
そのため、いずれの情報も第三者が任意に偽造、偽装、改ざんすることが困難となり、それらの識別情報を第三者が不正に利用し、第２のコンテンツを不正に受信することを防止することができる。
【０２１９】
また、このような第三者による改ざんなどが困難な２つの識別情報を、利用者の人手によらず取得するため、利用者の手入力が不要となり、利用者の利便性を向上させることができる。
【０２２０】
また、利用者が、入力ミスにより誤った識別情報を入力してしまい、誤った識別情報を意図せず不正に利用してしまうことを防止することができる。
【０２２１】
上記第１のコンテンツと上記第１の識別情報とを記録するコンテンツ記憶領域をさらに備え、上記第１の識別情報取得手段は、上記第１の識別情報を上記コンテンツ記憶領域から取得可能であることが好ましい。
【０２２２】
この場合、上記の情報再生装置では、ネットワーク等で配布される第１のコンテンツと第１の識別情報を記録することができる。
【０２２３】
そのため、利用者は別途記録媒体を所有する必要がなくなり、利用者の利便性を向上させることができる。
【０２２４】
上記第１の識別情報取得手段として、上記第１のコンテンツと上記第１の識別情報とが、利用者による任意の書き換えが不可能な領域に記録され、利用者による持ち運びが可能なコンテンツ記録媒体を再生可能なコンテンツ記録媒体再生手段を備えることが好ましい。
【０２２５】
この場合、第１の識別情報が、利用者による任意の書き換えが不可能な領域に記録されるため、利用者のもとに記録媒体が届くまでの流通過程で、第１の識別情報が任意に改ざんされることを防止できる。
【０２２６】
上記第１の識別情報が、配布される上記第１のコンテンツごとに個別に付与されるコンテンツ配布識別情報であり、上記第１の識別情報取得手段は、上記コンテンツ配布識別情報を取得することが好ましい。
【０２２７】
この場合、第１のコンテンツが配布、販売されるたびに個別に付与されるコンテンツ配布識別情報を第１の識別情報として利用することで、１つのコンテンツ配布識別情報に対応付けられる第２の識別情報の個数を制限し、第２のコンテンツの不正コピーを誘発する機会を減らすことができる。
【０２２８】
上記情報再生装置とは別体である端末装置と相互に情報交換が可能な情報交換手段をさらに備え、上記受信装置は、上記端末装置であり、上記第２の識別情報は、上記端末装置を識別する端末識別情報であり、上記第２の識別情報取得手段は、上記情報交換手段を用いて、上記端末識別情報を取得することが好ましい。
【０２２９】
この場合、情報再生装置とは別体の端末装置で第２のコンテンツを再生することができる。
【０２３０】
そのため、利用者は端末装置を持ち運び、好きな時間、好きな場所で、第２のコンテンツを再生することができるので、利用者の利便性が向上する。
【０２３１】
通信ネットワークを介して第２のコンテンツを提供するコンテンツ提供装置と相互に通信可能なネットワーク通信手段をさらに備え、上記情報通知手段を上記ネットワーク通信手段とし、上記ネットワーク通信手段は、上記第１の識別情報と上記第２の識別情報とを上記コンテンツ提供装置に通知することが好ましい。
【０２３２】
この場合、情報再生装置がコンテンツ提供装置と相互に通信可能なネットワーク通信手段を備えているため、第１の識別情報と第２の識別情報をコンテンツ提供装置に通知する作業を情報再生装置が自動的に行なうことができる。
【０２３３】
そのため、利用者の作業量が低減され、利用者の利便性を向上させることができる。
【０２３４】
上記第１の識別情報取得手段として、上記第１のコンテンツと上記第１の識別情報とを読出し可能な別体の第１コンテンツ再生装置との情報交換手段を備えることが好ましい。
【０２３５】
この場合、情報再生装置は、第１のコンテンツと第１の識別情報とを読み出す必要がないため、情報再生装置として、たとえば携帯端末を使用することができる。
【０２３６】
そのため、利用者は携帯端末を持ち運び、好きな時間、好きな場所で、第１の識別情報と第２の識別情報を通知することができ、利用者の利便性が向上する。
【０２３７】
また、第１コンテンツ再生装置が通信手段を持つ必要がない。
【０２３８】
そのため、利用者は第１コンテンツ再生装置に通信手段を与えるための余分なコストを支払う必要がない。
【０２３９】
上記情報出力手段が、上記第１の識別情報と上記第２の識別情報とを、利用者による持ち運びが可能な識別情報記録媒体に情報を記録することができる識別情報記録媒体記録手段であることが好ましい。
【０２４０】
この場合、識別情報記録媒体に上記第１の識別情報と上記第２の識別情報とを記録することで、情報再生装置とは別体の情報通知手段に識別情報記録媒体を用いて、２つの識別情報を読み込ませ、コンテンツ提供装置に第１の識別情報と第２の識別情報とを通知することができる。
【０２４１】
そのため、情報再生装置はコンテンツ提供装置に２つの識別情報を通知するための通信手段を持つ必要はなく、利用者は情報再生装置に通信手段を与えるための余分なコストを支払う必要がない。
【０２４２】
上記受信装置が、上記通信ネットワークを介して上記コンテンツ提供装置と相互に通信可能であり、上記第２の識別情報取得手段を用いて、上記通信ネットワーク上で上記受信装置を接続先として特定するための受信装置接続先情報を、上記受信装置から取得する受信装置接続先情報取得手段をさらに備え、上記情報出力手段はさらに、上記受信装置接続先情報取得手段によって取得した上記受信装置接続先情報を上記情報通知手段に出力することが好ましい。
【０２４３】
この場合、コンテンツ提供装置は、受信装置接続先情報を利用して、受信装置に直接に第２のコンテンツを提供することができる。
【０２４４】
そのため、利用者は第２のコンテンツ受信装置に移動する作業が不要になるため、作業量が低減され、利用者の利便性を向上させることができる。
【０２４５】
上記情報出力手段は、上記第１の識別情報と上記第２の識別情報とを出力した後、上記第１の識別情報と上記第２の識別情報とを上記情報再生装置から破棄することが好ましい。
【０２４６】
この場合、情報再生装置に第１の識別情報および第２の識別情報が残存することがなくなり、情報再生装置が盗難などの被害にあっても第三者に情報再生装置から第１の識別情報および第２の識別情報が不正に読み取られることがない。
【０２４７】
上記情報出力手段は、上記情報通知手段に、上記第１の識別情報と上記第２の識別情報とを上記コンテンツ提供装置に通知した後に上記第１の識別情報と上記第２の識別情報とを破棄することを指示することが好ましい。
【０２４８】
この場合、情報通知手段に第１の識別情報および第２の識別情報が残存することがなくなり、第三者に識別情報取得手段から第１の識別情報および第２の識別情報が不正に読み取られることがない。
【０２４９】
上記コンテンツ記録媒体が、情報の記録が可能な記録可能領域を持つ媒体であり、上記記録可能領域に上記第２の識別情報を記録することが好ましい。
【０２５０】
この場合、第２の識別情報をコンテンツ記録媒体に記録しておくため、新しい第２のコンテンツが提供開始され、第２の識別情報が必要になったときに、再度第２の識別情報を取得する必要がなくなる。
【０２５１】
そのため、利用者の作業が簡便になり、利用者の利便性を向上させることができる。
【０２５２】
また、コンテンツ記録媒体に第２の識別情報を記録することで、情報再生装置とは別体の情報通知手段にコンテンツ記録媒体を用いて、２つの識別情報を読み込ませ、コンテンツ提供装置に第１の識別情報と第２の識別情報を通知することができる。
【０２５３】
そのため、情報再生装置はコンテンツ提供装置に２つの識別情報を通知するための通信手段を持つ必要はなく、利用者は情報再生装置に通信手段を与えるための余分なコストを支払う必要がない。
【０２５４】
上記コンテンツ記録媒体は、利用者による任意の書き換えが不可能な領域に暗号化鍵と暗号化アルゴリズムとを記録しており、上記情報再生装置は、上記コンテンツ記録媒体から上記暗号化鍵と上記暗号化アルゴリズムとを取得し、上記記録可能領域に暗号化された上記第２の識別情報を記録することが好ましい。
【０２５５】
この場合、暗号化鍵と暗号化アルゴリズムを別途用意する必要がなくなり、利用者の作業量が低減され、利用者の利便性を向上させることができる。
【０２５６】
また、暗号化鍵と暗号化アルゴリズムが、利用者による任意の書き換えが不可能な領域に記録されるため、利用者のもとに記録媒体が届くまでの流通過程で、暗号化鍵と暗号化アルゴリズムが任意に改ざんされることを防止できる。
【０２５７】
また、記録された第２の識別情報は暗号化されているため、コンテンツ媒体が盗難等の被害にあったとしても、第２の識別情報が流出する可能性がない。
【０２５８】
上記情報出力手段を用いて上記第１の識別情報と上記第２の識別情報とを出力するとき、上記第１の識別情報、または上記第２の識別情報を暗号化鍵と暗号化アルゴリズムにより暗号化した後で出力することが好ましい。
【０２５９】
この場合、情報出力手段より出力された第１の識別情報と第２の識別情報とが不正に読み取られ、悪用される恐れがなくなる。
【０２６０】
上記情報再生装置は、上記暗号化鍵と上記暗号化鍵を用いて上記第１の識別情報および上記第２の識別情報を暗号化するための上記暗号化アルゴリズムを取得する暗号化取得手段をさらに備え、上記暗号化取得手段は、上記第１のコンテンツと共に記録されている上記暗号化鍵と暗号化アルゴリズムとを取得することが好ましい。
【０２６１】
この場合、暗号化鍵と暗号化アルゴリズムを別途用意する必要がなくなり、利用者の作業量が低減され、利用者の利便性を向上させることができる。
【０２６２】
上記第１の識別情報取得手段または上記第２の識別情報取得手段を用いて取得する上記第１の識別情報または上記第２の識別情報が暗号化されているとき、その暗号を復号するための復号化鍵と、上記第１の識別情報または上記第２の識別情報を復号化するための復号化アルゴリズムとを備えることが好ましい。
【０２６３】
この場合、第１および第２の識別情報取得手段により行われる第１および第２の識別情報の移動を暗号により行なうことができるため、中継装置の使用等による第１および第２の識別情報の偽造、偽装、改ざんを防止することができる。
【０２６４】
上記第１のコンテンツと共に記録されており、上記コンテンツ提供装置を接続先として特定するためのコンテンツ接続先情報を取得するコンテンツ接続先情報取得手段をさらに備え、上記情報出力手段は、上記第１の識別情報と上記第２の識別情報とに加えて、上記コンテンツ接続先情報取得手段を用いて取得した上記コンテンツ接続先情報を出力することが好ましい。
【０２６５】
この場合、コンテンツ提供装置を特定するためのコンテンツ接続先情報を別途取得することなく、第１のコンテンツと共に取得することができる。
【０２６６】
このため、利用者の作業量が低減され、利用者の利便性を向上させることができる。
【０２６７】
本発明に係るコンテンツ記録媒体は、第１のコンテンツと当該第１のコンテンツを識別する第１の識別情報とが、利用者による任意の書き換えが不可能な領域に記録され、利用者による持ち運びが可能なコンテンツ記録媒体であって、上記コンテンツ記録媒体が、情報の記録が可能な記録可能領域を持ち、上記記録可能領域に上記第１のコンテンツに関連する第２のコンテンツを再生することができる受信装置を識別する第２の識別情報が記録される。
【０２６８】
第２の識別情報をコンテンツ記録媒体に記録しておくため、新しい第２のコンテンツが提供開始され、第２の識別情報が必要になったときに、再度第２の識別情報を取得する必要がなくなる。
【０２６９】
そのため、利用者の作業が簡便になり、利用者の利便性を向上させることができる。
【０２７０】
上記コンテンツ記録媒体は、利用者による任意の書き換えが不可能な領域に暗号化鍵と暗号化アルゴリズムとが記録されていることが好ましい。
【０２７１】
この場合、暗号化鍵と暗号化アルゴリズムを別途用意する必要がなくなり、利用者の作業量が低減され、利用者の利便性を向上させることができる。
【０２７２】
また、暗号化鍵と暗号化アルゴリズムが、利用者による任意の書き換えが不可能な領域に記録されるため、利用者のもとに記録媒体が届くまでの流通過程で、暗号化鍵と暗号化アルゴリズムが任意に改ざんされることを防止できる。
【０２７３】
また、記録された第２の識別情報を暗号化することができるため、コンテンツ媒体が盗難等の被害にあったとしても、第２の識別情報が流出する可能性がない。
【０２７４】
本発明に係るコンテンツ提供システムは、複数のコンテンツを有し、通信ネットワークを介してコンテンツを提供するコンテンツ提供装置と、上記通信ネットワークを介して上記コンテンツ提供装置に情報を通知する情報通知手段と、上記情報通知手段に対して情報を出力する情報出力手段とを備えた情報再生装置とを有するコンテンツ提供システムであって、上記情報再生装置は、利用者による任意の書き換えが不可能であり、第１のコンテンツを識別する第１の識別情報を取得する第１の識別情報取得手段と、利用者による任意の書き換えが不可能であり、上記第１のコンテンツに関連する第２のコンテンツを受信する受信装置を識別する第２の識別情報を取得する第２の識別情報取得手段とを備え、上記コンテンツ提供装置は、上記複数のコンテンツを格納するコンテンツデータベースと、上記第１の識別情報および上記第２の識別情報で特定される上記第２のコンテンツを上記複数のコンテンツから選択するコンテンツ選択手段と、上記コンテンツ選択手段によって選択した上記第２のコンテンツを上記通信ネットワークを介して上記受信装置に送信するコンテンツ送信手段とを備える。
【０２７５】
上記のコンテンツ提供システムでは、上記の情報再生装置が取得する第１の識別情報と第２の識別情報とが、利用者による任意の書き換えが不可能であり、いずれの情報も第三者が任意に偽造、偽装、改ざんすることが困難となる。
【０２７６】
一方、コンテンツ提供装置においては、第三者が任意に偽造、偽装、改ざんすることが困難な第１の識別情報および第２の識別情報で特定される第２のコンテンツをコンテンツデータベースから選択し、選択した第２のコンテンツを受信装置に送信する。
【０２７７】
そのため、それらの識別情報を第三者が不正に利用し、第２のコンテンツを不正に受信することを防止することができる。
【０２７８】
また、このような第三者による改ざんなどが困難な２つの識別情報を、利用者の人手によらず取得するため、利用者の手入力が不要となり、利用者の利便性を向上させることができる。
【０２７９】
また、利用者が、入力ミスにより誤った識別情報を入力してしまい、誤った識別情報を意図せず不正に利用してしまうことを防止することができる。
【０２８０】
上記第１の識別情報が、配布される上記第１のコンテンツごとに個別に与えられるコンテンツ配布識別情報であり、上記情報再生装置の上記第１の識別情報取得手段は、上記コンテンツ配布識別情報を取得し、上記コンテンツ提供装置は、さらに識別情報データベースを備え、上記識別情報データベースは、上記コンテンツ配布識別情報と上記第２の識別情報を対応付けて記録することが好ましい。
【０２８１】
この場合、第１のコンテンツが配布、販売されるたびに個別に付与されるコンテンツ配布識別情報を第１の識別情報として利用し、コンテンツ提供装置の識別情報データベースで、１つのコンテンツ配布識別情報に対応付けられる第２の識別情報の個数を制限し、第２のコンテンツの不正コピーを誘発する機会を減らすことができる。
【０２８２】
上記情報再生装置が、上記情報再生装置とは別体である端末装置と相互に情報交換が可能な情報交換手段をさらに備え、上記受信装置は、上記端末装置であり、上記第２の識別情報は、上記端末装置を識別する端末識別情報であり、上記第２の識別情報取得手段は、上記情報交換手段を用いて、上記端末識別情報を取得することが好ましい。
【０２８３】
この場合、情報再生装置とは別体の端末装置で第２のコンテンツを再生することができる。
【０２８４】
そのため、利用者は端末装置を持ち運び、好きな時間、好きな場所で、第２のコンテンツを再生することができ、利用者の利便性を向上する。
【０２８５】
上記情報再生装置が、上記通信ネットワークを介して上記第２のコンテンツを提供するコンテンツ提供装置と相互に通信可能なネットワーク通信手段をさらに備え、上記情報通知手段を上記ネットワーク通信手段とし、上記ネットワーク通信手段は、上記第１の識別情報と上記第２の識別情報とを上記コンテンツ提供装置に通知することが好ましい。
【０２８６】
この場合、情報再生装置がコンテンツ提供装置と相互に通信可能なネットワーク通信手段を備えているため、第１の識別情報と第２の識別情報をコンテンツ提供装置に通知する作業を情報再生装置が自動的に行なうことができる。
【０２８７】
そのため、利用者の作業量が低減され、利用者の利便性を向上させることができる。
【０２８８】
上記情報再生装置が、上記第１の識別情報取得手段として、上記第１のコンテンツと上記第１の識別情報とを読出し可能な別体の第１コンテンツ再生装置との情報交換手段をさらに備えることが好ましい。
【０２８９】
この場合、情報再生装置は第１のコンテンツと第１の識別情報を読み出す必要がないため、情報再生装置として、たとえば携帯端末を使用することができる。
【０２９０】
そのため、利用者は携帯端末を持ち運び、好きな時間、好きな場所で、第１の識別情報と第２の識別情報を通知することができ、利用者の利便性を向上する。
【０２９１】
また、第１コンテンツ再生装置が通信手段を持つ必要がない。
【０２９２】
そのため、利用者は第１コンテンツ再生装置に通信手段を与えるための余分なコストを支払う必要がない。
【０２９３】
上記情報再生装置の上記情報出力手段が、上記第１の識別情報と上記第２の識別情報とを、利用者による持ち運びが可能な識別情報記録媒体に情報を記録することができる識別情報記録媒体記録手段であり、上記情報通知手段は、上記識別情報記録媒体を再生することができる識別情報記録媒体再生手段を備え、上記識別情報記録媒体から上記第１の識別情報と上記第２の識別情報とを、上記識別情報記録媒体再生手段を用いて再生し、上記コンテンツ提供装置に上記第１の識別情報と上記第２の識別情報とを通知することが好ましい。
【０２９４】
この場合、識別情報記録媒体に第１の識別情報と第２の識別情報を記録することで、情報再生装置とは別体の情報通知手段に識別情報記録媒体を用いて、２つの識別情報を読み込ませ、コンテンツ提供装置に第１の識別情報と第２の識別情報を通知することができる。
【０２９５】
そのため、情報再生装置はコンテンツ提供装置に２つの識別情報を通知するための通信手段を持つ必要はなく、利用者は情報再生装置に通信手段を与えるための余分なコストを支払う必要がない。
【０２９６】
上記情報通知手段は、上記識別情報記録媒体に記録することができる識別情報記録媒体記録手段をさらに備え、上記コンテンツ提供装置から提供される第２のコンテンツを上記識別情報記録媒体記録手段を用いて、上記識別情報記録媒体に記録することが好ましい。
【０２９７】
この場合、情報再生装置および受信装置のいずれもが、通信ネットワークを介してコンテンツ提供装置と接続されている必要がなく、利用者は情報再生装置と受信装置に通信手段を与えるための余分なコストを支払う必要がない。
【０２９８】
上記受信装置が、上記通信ネットワークを介して上記コンテンツ提供装置と相互に通信可能であり、上記情報再生装置は、上記第２の識別情報取得手段を用いて、上記通信ネットワーク上で上記受信装置を接続先として特定するための受信装置接続先情報を、上記受信装置から取得する受信装置接続先情報取得手段をさらに備え、上記情報出力手段はさらに、上記受信装置接続先情報取得手段によって取得した上記受信装置接続先情報を上記情報通知手段に出力し、上記コンテンツ提供装置は、上記受信装置接続先情報を用いて上記受信装置に第２のコンテンツを直接送信することが好ましい。
【０２９９】
この場合、コンテンツ提供装置は、受信装置接続先情報を利用して、受信装置に直接に第２のコンテンツを提供することができる。
【０３００】
そのため、利用者は第２のコンテンツを受信装置に移動する作業が不要になるため、作業量が低減され、利用者の利便性を向上させることができる。
【０３０１】
上記コンテンツ提供装置は、上記受信装置接続先情報を用いて上記受信装置より上記第２の識別情報を直接受け取り、上記情報通知手段より通知された第２の識別情報と上記受信装置より直接受け取った上記第２の識別情報を照合した後、上記受信装置接続先情報を用いて上記受信装置に第２のコンテンツを直接送信することが好ましい。
【０３０２】
この場合、コンテンツ提供装置は直接、第２のコンテンツを提供する受信装置が、情報通知手段より通知された受信装置と一致することを確認できるため、第２のコンテンツの不正コピーを誘発する機会を減らすことができる。
【０３０３】
上記情報再生装置は、上記情報出力手段を用いて上記第１の識別情報と上記第２の識別情報を出力するとき、上記第１の識別情報、または上記第２の識別情報を暗号化鍵と暗号化アルゴリズムにより暗号化した後で上記情報通知手段に出力し、上記コンテンツ提供装置は、暗号化された上記第１の識別情報および上記第２の識別情報を、復号化鍵により復号化する復号化処理手段を備えることが好ましい。
【０３０４】
この場合、情報出力手段より出力された第１の識別情報と第２の識別情報とが不正に読み取られ、悪用される恐れがなくなる。
【０３０５】
上記第１のコンテンツと上記第１の識別情報が、利用者による持ち運びが可能なコンテンツ記録媒体の利用者による任意の書き換えが不可能な記録領域に記録されており、上記情報再生装置は、上記コンテンツ記録媒体を再生可能なコンテンツ記録媒体再生手段と、上記暗号化鍵と上記暗号化鍵を用いて上記第１の識別情報および上記第２の識別情報を暗号化するための上記暗号化アルゴリズムを取得する暗号化取得手段を備え、上記コンテンツ記録媒体の利用者による任意の書き換えが不可能な記録領域に上記暗号化鍵と、上記暗号化鍵を用いて上記第１の識別情報および上記第２の識別情報を暗号化するための上記暗号化アルゴリズムとが記録され、上記暗号化取得手段は、上記コンテンツ記録媒体再生手段を用いて、上記コンテンツ記録媒体に記録されている上記暗号化鍵と上記暗号化アルゴリズムとを取得することが好ましい。
【０３０６】
この場合、第１の識別情報、暗号化鍵、暗号化アルゴリズムが、利用者による任意の書き換えが不可能な領域に記録されるため、利用者のもとに記録媒体が届くまでの流通過程で、第１の識別情報、暗号化鍵、暗号化アルゴリズムが任意に改ざんされることを防止できる。
【０３０７】
また、暗号化鍵と暗号化アルゴリズムを別途用意する必要がなくなり、利用者の作業量が低減され、利用者の利便性を向上させることができる。
【０３０８】
上記コンテンツ提供装置の提供する第２のコンテンツは、上記情報通知手段より通知された上記第２の識別情報を持つ受信装置でのみ再生可能であることが好ましい。
【０３０９】
この場合、コンテンツ提供装置より提供される第２のコンテンツは、情報通知手段より通知された受信装置以外の受信装置では再生できないため、第２のコンテンツの不正コピーを誘発する機会を減らすことができる。
【０３１０】
本発明に係るコンテンツ提供方法は、複数のコンテンツを有するコンテンツ提供装置に情報を通知する情報通知手段に対して、情報を出力する情報出力手段とを備えた情報再生装置を用いたコンテンツ提供方法であって、利用者による任意の書き換えが不可能であり、第１のコンテンツを識別する第１の識別情報を取得する第１の取得工程と、利用者による任意の書き換えが不可能であり、上記第１のコンテンツに関連する第２のコンテンツを受信する受信装置を識別する第２の識別情報を取得する第２の取得工程と、上記情報出力手段と上記情報通知手段を介して、上記第１の取得工程によって取得した上記第１の識別情報、および上記第２の取得工程によって取得した上記第２の識別情報を上記コンテンツ提供装置に通知するとともに、上記第１の識別情報および上記第２の識別情報で特定される上記第２のコンテンツを上記複数のコンテンツから選択して送信することを上記コンテンツ提供装置に要求する要求工程とを含む。
【０３１１】
上記のコンテンツ提供方法では、第１の識別情報と第２の識別情報は、利用者による任意の書き換えが不可能であり、いずれの情報も第三者が任意に偽造、偽装、改ざんすることが困難となる。
【０３１２】
そのため、それらの識別情報を第三者が不正に利用し、第２のコンテンツを不正に受信することを防止することができる。
【０３１３】
また、このような第三者による改ざんなどが困難な２つの識別情報を、利用者の人手によらず取得するため、利用者の手入力が不要となり、利用者の利便性を向上させることができる。
【０３１４】
また、利用者が、入力ミスにより誤った識別情報を入力してしまい、誤った識別情報を意図せず不正に利用してしまうことを防止することができる。
【０３１５】
なお、上記情報再生装置は、コンピュータによって実現してもよく、この場合には、コンピュータを前記各手段として動作させることにより上記情報再生装置をコンピュータにて実現させる情報再生装置の制御プログラムも本発明の範疇に入る。
【産業上の利用可能性】
【０３１６】
本発明は、利用者の利便性を向上させるとともに、コンテンツＤＶＤ、コンテンツＢＤといった記録媒体からのコンテンツの不正コピーを防止することができるので、当該利用者が利用する、通信機能を有する情報再生装置などに好適である。
【符号の説明】
【０３１７】
１、２、３、４、５、６    コンテンツ提供システム
１０、７０    情報再生装置
１１    第１の識別情報取得部（第１の識別情報取得手段、コンテンツ記録媒体再生手段、識別情報記録媒体再生手段）
１２    第２の識別情報取得部（第２の識別情報取得手段）
１３、１３ａ、１３ｂ    コンテンツ送信要求部（情報出力手段、情報通知手段、ネットワーク通信手段）
１４    コンテンツ接続先情報取得部（コンテンツ接続先情報取得手段）
１５    情報交換部（情報交換手段）
１６    端末接続先情報（受信装置接続先情報取得手段）
１７    利用者情報設定部
１８    暗号化取得部（暗号化取得手段）
１９    暗号化処理部
２１    記録部（識別情報記録媒体記録手段）
２２、２２ｂ    暗号化識別情報取得部
３０    コンテンツ提供装置
３１    コンテンツ選択部
３２    コンテンツ送信部
３３    識別情報データベース
３４    コンテンツデータベース
３５    復号化処理部（復号化処理手段）
４０    端末装置（受信装置）
４１    入出力部
４２    端末装置識別情報記憶領域
４２１    端末装置識別情報（第２の識別情報、端末識別情報）
４２２    端末接続先情報（受信装置接続先情報）
５０、５０ａ    記録媒体（コンテンツ記録媒体、識別情報記録媒体）
５１    コンテンツ識別情報記憶領域
６０    通信ネットワーク
６１    データ通信ネットワーク
６２    無線基地局
８０    情報再生装置（第１コンテンツ再生装置）
５０１    コンテンツ識別情報（第１の識別情報）
５０２    コンテンツ接続先情報
５０３    暗号化鍵
５０４    暗号化アルゴリズム
【図１】
0005497811.tif 000002
【図２】
0005497811.tif 000003
【図３】
0005497811.tif 000004
【図４】
0005497811.tif 000005
【図５】
0005497811.tif 000006
【図６】
0005497811.tif 000007
【図７】
0005497811.tif 000008
【図８】
0005497811.tif 000009
【図９】
0005497811.tif 000010
【図１０】
0005497811.tif 000011
【図１１】
0005497811.tif 000012
【図１２】
0005497811.tif 000013